(57)【要約】【課題】２つの異なる部屋を、より快適に、且つより効率良く暖房することが可能であり、熱源機の暖房運転効率をより向上させることができる暖房システムを提供する。【解決手段】熱源機３０と、第１部屋１０に設けられた第１暖房放熱体１４と、第２部屋２０に設けられた第２暖房放熱体２４と、第１運転状態設定手段１１と、第２運転状態設定手段２１と、を備え、暖房加熱後配管３５と、第１暖房加熱後分岐配管１３と、第２暖房加熱後分岐配管２３と、第１暖房放熱後混合配管１５と、第２暖房放熱後混合配管２５と、暖房放熱後配管３６と、暖房配管分岐手段４５と、暖房配管混合手段４６と、第１暖房バイパス配管６１と、にて構成される暖房配管経路を備え、第１暖房循環ポンプ４１と、第１開閉弁１２と、第２開閉弁２２と、第１流路切替弁１６と、が設けられている暖房システム。【選択図】図１
2015075318.tif 000002
【特許請求の範囲】
【請求項１】
暖房熱媒を加熱する熱源機と、
前記熱源機との間で循環する暖房熱媒が流通する暖房配管経路で接続された第１暖房放熱体及び第２暖房放熱体と、
前記第１暖房放熱体の運転状態を利用者が設定可能な第１運転状態設定手段と、
前記第２暖房放熱体の運転状態を利用者が設定可能な第２運転状態設定手段と、
を備えた暖房システムにおいて、
前記第１運転状態設定手段及び前記第１暖房放熱体は第１部屋に設置されており、
前記第２運転状態設定手段及び前記第２暖房放熱体は前記第１部屋とは異なる第２部屋に設置されており、
前記暖房配管経路は、
前記熱源機から吐出された暖房熱媒を暖房配管分岐手段に流入する暖房加熱後配管と、
前記暖房配管分岐手段にて分岐されて吐出された暖房熱媒を前記第１暖房放熱体に流入する第１暖房加熱後分岐配管と、
前記暖房配管分岐手段にて分岐されて吐出された暖房熱媒を前記第２暖房放熱体に流入する第２暖房加熱後分岐配管と、
前記第１暖房放熱体から吐出された暖房熱媒を暖房配管混合手段に流入する第１暖房放熱後混合配管と、
前記第２暖房放熱体から吐出された暖房熱媒を暖房配管混合手段に流入する第２暖房放熱後混合配管と、
前記暖房配管混合手段にて混合されて吐出された暖房熱媒を前記熱源機に流入する暖房放熱後配管と、
前記第１暖房放熱後混合配管のいずれかの位置と前記第２暖房加熱後分岐配管のいずれかの位置とに接続された第１暖房バイパス配管と、
前記暖房配管分岐手段と、
前記暖房配管混合手段と、
にて構成されており、
前記熱源機には、暖房熱媒を循環させる第１暖房循環ポンプが設けられており、
前記第１暖房加熱後分岐配管のいずれかの位置には、当該第１暖房加熱後分岐配管を閉鎖状態あるいは開口状態に切り替え可能な第１開閉弁が設けられており、
前記第２暖房加熱後分岐配管における前記暖房配管分岐手段が接続されている個所から前記第１暖房バイパス配管が接続されている個所までに至るいずれかの位置には、当該第２暖房加熱後分岐配管を閉鎖状態あるいは開口状態に切り替え可能な第２開閉弁が設けられており、
前記第１暖房放熱後混合配管と前記第１暖房バイパス配管とが接続されている個所には、前記第１暖房放熱後混合配管から流入された暖房熱媒を前記第１暖房バイパス配管に向けて吐出するように、あるいは前記第１暖房放熱後混合配管から流入された暖房熱媒を前記暖房配管混合手段に向けて吐出するように、切り替え可能な第１流路切替弁が設けられている、
暖房システム。
【請求項２】
請求項１に記載の暖房システムであって、
前記暖房放熱後配管あるいは前記暖房加熱後配管のいずれかの位置に、前記第１暖房循環ポンプに加えて暖房熱媒を循環させる第２暖房循環ポンプが設けられている、
あるいは、前記暖房放熱後配管のいずれかの位置と前記暖房加熱後配管のいずれかの位置とに接続された第２暖房バイパス配管を備え、前記第２暖房バイパス配管には、前記暖房放熱後配管からの暖房熱媒の少なくとも一部を前記暖房加熱後配管に導くことが可能な第３暖房循環ポンプが設けられている、
暖房システム。
【請求項３】
請求項１または２に記載の暖房システムであって、
前記第２暖房放熱後混合配管のいずれかの位置と前記第１暖房加熱後分岐配管のいずれかの位置とに接続された第３暖房バイパス配管を備え、
前記第１開閉弁は、前記第１暖房加熱後分岐配管における前記暖房配管分岐手段が接続されている個所から前記第３暖房バイパス配管が接続されている個所までに至るいずれかの位置に設けられており、
前記第２暖房放熱後混合配管と前記第３暖房バイパス配管とが接続されている個所には、前記第２暖房放熱後混合配管から流入された暖房熱媒を前記第３暖房バイパス配管に向けて吐出するように、あるいは前記第２暖房放熱後混合配管から流入された暖房熱媒を前記暖房配管混合手段に向けて吐出するように、切り替え可能な第２流路切替弁が設けられている、
暖房システム。
【請求項４】
請求項１または２に記載の暖房システムであって、
前記第１暖房放熱後混合配管における前記第１暖房放熱体と前記第１流路切替弁の間のいずれかの位置には、第１温度検出手段が設けられており、
前記第１開閉弁と前記第２開閉弁と前記第１流路切替弁は、前記第１温度検出手段にて検出された暖房熱媒の温度に基づいた温度条件に応じて制御される、
暖房システム。
【請求項５】
請求項３に記載の暖房システムであって、
前記第１暖房放熱後混合配管における前記第１暖房放熱体と前記第１流路切替弁の間のいずれかの位置、あるいは前記第２暖房放熱後混合配管における前記第２暖房放熱体と前記第２流路切替弁の間のいずれかの位置、の少なくとも一方には、第１温度検出手段が設けられており、
前記第１開閉弁と前記第２開閉弁と前記第１流路切替弁と前記第２流路切替弁は、前記第１温度検出手段にて検出された暖房熱媒の温度に基づいた温度条件に応じて制御される、
暖房システム。
【請求項６】
請求項１または２に記載の暖房システムであって、
前記第２暖房加熱後分岐配管における前記第２開閉弁と前記第２暖房放熱体の間のいずれかの位置には、第２温度検出手段が設けられており、
前記第１開閉弁と前記第２開閉弁と前記第１流路切替弁は、前記第２温度検出手段にて検出された暖房熱媒の温度に基づいた温度条件に応じて制御される、
暖房システム。
【請求項７】
請求項３に記載の暖房システムであって、
前記第２暖房加熱後分岐配管における前記第２開閉弁と前記第２暖房放熱体の間のいずれかの位置、あるいは前記第１暖房加熱後分岐配管における前記第１開閉弁と前記第１暖房放熱体の間のいずれかの位置、の少なくとも一方には、第２温度検出手段が設けられており、
前記第１開閉弁と前記第２開閉弁と前記第１流路切替弁と前記第２流路切替弁は、前記第２温度検出手段にて検出された暖房熱媒の温度に基づいた温度条件に応じて制御される、
暖房システム。
【請求項８】
請求項１〜３のいずれか一項に記載の暖房システムであって、
前記熱源機の内部あるいは前記熱源機の外部の少なくとも一方には、外気温度を検出可能な第３温度検出手段が設けられており、
前記第２流路切替弁を有していない場合、
前記第１開閉弁と前記第２開閉弁と前記第１流路切替弁は、前記第３温度検出手段にて検出された外気温度に基づいた温度条件に応じて制御され、
前記第２流路切替弁を有している場合、
前記第１開閉弁と前記第２開閉弁と前記第１流路切替弁と前記第２流路切替弁は、前記第３温度検出手段にて検出された外気温度に基づいた温度条件に応じて制御される、
暖房システム。
【請求項９】
請求項１または２に記載の暖房システムであって、
前記第１暖房放熱体の暖房運転と前記第２暖房放熱体の暖房運転を行う場合、
所定時間が経過するまでは、第１並列暖房運転を行い、
前記所定時間を経過後は、第１直列暖房運転を行い、
前記第１並列暖房運転では、
前記第１開閉弁は、開状態に制御され、
前記第２開閉弁は、開状態に制御され、
前記第１流路切替弁は、前記第１暖房放熱後混合配管からの暖房熱媒を前記暖房配管混合手段へ向けて吐出する側に制御され、
前記第１直列暖房運転では、
前記第１開閉弁は、開状態に制御され、
前記第２開閉弁は、閉状態に制御され、
前記第１流路切替弁は、前記第１暖房放熱後混合配管からの暖房熱媒を前記第１暖房バイパス配管へ向けて吐出する側に制御される、
暖房システム。
【請求項１０】
請求項３に記載の暖房システムであって、
前記第１暖房放熱体の暖房運転と前記第２暖房放熱体の暖房運転を行う場合、
所定時間が経過するまでは、第２並列暖房運転を行い、
前記所定時間を経過後は、第２直列暖房運転または第３直列暖房運転を行い、
前記第２並列暖房運転では、
前記第１開閉弁は、開状態に制御され、
前記第２開閉弁は、開状態に制御され、
前記第１流路切替弁は、前記第１暖房放熱後混合配管からの暖房熱媒を前記暖房配管混合手段へ向けて吐出する側に制御され、
前記第２流路切替弁は、前記第２暖房放熱後混合配管からの暖房熱媒を前記暖房配管混合手段へ向けて吐出する側に制御され、
前記第２直列暖房運転では、
前記第１開閉弁は、開状態に制御され、
前記第２開閉弁は、閉状態に制御され、
前記第１流路切替弁は、前記第１暖房放熱後混合配管からの暖房熱媒を前記第１暖房バイパス配管へ向けて吐出する側に制御され、
前記第２流路切替弁は、前記第２暖房放熱後混合配管からの暖房熱媒を前記暖房配管混合手段へ向けて吐出する側に制御され、
前記第３直列暖房運転では、
前記第１開閉弁は、閉状態に制御され、
前記第２開閉弁は、開状態に制御され、
前記第１流路切替弁は、前記第１暖房放熱後混合配管からの暖房熱媒を前記暖房配管混合手段へ向けて吐出する側に制御され、
前記第２流路切替弁は、前記第２暖房放熱後混合配管からの暖房熱媒を前記第３暖房バイパス配管へ向けて吐出する側に制御される、
暖房システム。
【請求項１１】
請求項１〜１０のいずれか一項に記載の暖房システムであって、
前記熱源機は、前記第１開閉弁と前記第２開閉弁を制御可能な熱源機制御手段を備えており、
前記熱源機制御手段と前記第１運転状態設定手段との間の通信情報の送受信を中継し、且つ前記熱源機制御手段と前記第２運転状態設定手段との間の通信情報の送受信を中継する流路切替制御手段を備え、
前記第２流路切替手段を有していない場合、
前記流路切替制御手段は、中継した通信情報に基づいて、前記第１流路切替弁を制御し、
前記第２流路切替手段を有している場合、
前記流路切替制御手段は、中継した通信情報に基づいて、前記第１流路切替弁と前記第２流路切替弁を制御する、
暖房システム。
【請求項１２】
請求項１〜１０のいずれか一項に記載の暖房システムであって、
前記熱源機は、前記第１開閉弁と前記第２開閉弁を制御可能な熱源機制御手段を備えており、
前記熱源機制御手段と前記第１運転状態設定手段との間の通信情報の送受信を中継せず、且つ前記熱源機制御手段と前記第２運転状態設定手段との間の通信情報の送受信を中継せず、且つ前記熱源機制御手段との間で通信情報を送受信可能な流路切替制御手段を備え、
前記第２流路切替手段を有していない場合、
前記流路切替制御手段は、受信した通信情報に基づいて、前記第１流路切替弁を制御し、
前記第２流路切替手段を有している場合、
前記流路切替制御手段は、受信した通信情報に基づいて、前記第１流路切替弁と前記第２流路切替弁を制御する、
暖房システム。
【請求項１３】
請求項１１または１２に記載の暖房システムであって、
前記熱源機制御手段から前記第１開閉弁を制御可能な第１開閉弁制御配線及び前記第２開閉弁を制御可能な第２開閉弁制御配線は、前記第１開閉弁及び前記第２開閉弁に接続されることなく前記流路切替制御手段に入力されており、
前記第２流路切替手段を有していない場合、
前記流路切替制御手段は、
前記第１開閉弁と前記第２開閉弁と前記第１流路切替弁を制御可能であり、
前記第１開閉弁制御配線からの制御信号と、前記第２開閉弁制御配線からの制御信号と、中継あるいは受信した通信情報と、に基づいて、前記第１開閉弁と前記第２開閉弁と前記第１流路切替弁を制御し、
前記第２流路切替手段を有している場合、
前記流路切替制御手段は、
前記第１開閉弁と前記第２開閉弁と前記第１流路切替弁と前記第２流路切替弁を制御可能であり、
前記第１開閉弁制御配線からの制御信号と、前記第２開閉弁制御配線からの制御信号と、中継あるいは受信した通信情報と、に基づいて、前記第１開閉弁と前記第２開閉弁と前記第１流路切替弁と前記第２流路切替弁を制御する、
暖房システム。
【発明の詳細な説明】
【技術分野】
【０００１】
本発明は、暖房システムに関する。
【背景技術】
【０００２】
従来、特許文献１には、燃焼熱源機や電気ヒートポンプ等を熱源機として暖房熱媒を加熱し、一方の暖房放熱体（この場合、部屋の中央部の床暖房パネル）に流通させた後の暖房熱媒を、他方の暖房放熱体（この場合、部屋の周辺部の床暖房パネル）に流通させることで部屋内の暖房を快適に行う床暖房設備（暖房システムに相当）が開示されている。
特許文献１では、図１７に示すように、部屋１１０の中央部に敷設された第１暖房放熱体１１４と、部屋１１０の周辺部に敷設された第２暖房放熱体１２４と、を有している。
そして第１暖房放熱体１１４には、熱源機１３０にて加熱された暖房熱媒を流入させるための暖房加熱後配管１３５の一方端が接続され、放熱後の暖房熱媒を吐出させるための暖房放熱後混合配管１１５の一方端が接続されている。
また第２暖房放熱体１２４には、暖房熱媒を流入させるための熱媒流入配管１２３の一方端が接続され、放熱後の暖房熱媒を吐出させるための熱媒流出混合配管１２５の一方端が接続されている。
そして暖房放熱後混合配管１１５の他方端は流路切替弁１１６を介して混合手段１４６に接続され、熱媒流出混合配管１２５の他方端は混合手段１４６に接続されている。
また混合手段１４６からの出力である暖房放熱後配管１３６は熱源機１３０に接続され、暖房加熱後配管１３５の他方端は熱源機１３０に接続されている。
また暖房放熱後混合配管１１５のいずれかの位置には流路切替弁１１６が設けられており、熱媒流入配管１２３の他方端は流路切替弁１１６に接続されている。流路切替弁１１６は、暖房放熱後混合配管１１５から流入する暖房熱媒を、混合手段１４６に向けて吐出するか、熱媒流入配管１２３に向けて吐出するか、のいずれかに流路を切り替える。
また暖房加熱後配管１３５のいずれかの位置には流路開閉弁１１２が設けられている。
また暖房循環ポンプ１４１が、熱源機１３０に設けられている。
【０００３】
熱源機制御手段１３１は、暖房循環ポンプ１４１を駆動することで暖房熱媒を循環させ、流路開閉弁１１２を開状態に制御することで第１暖房放熱体１１４へ暖房熱媒を流入させる。また熱源機制御手段１３１は、流路切替弁１１６を制御することで、第１暖房放熱体１１４にて放熱後の暖房熱媒を、混合手段１４６を経由させて熱源機１３０に戻すか、あるいは第２暖房放熱体１２４に流入させて放熱させた後で混合手段１４６を経由させて熱源機１３０に戻すか、いずれかの経路にすることが可能である。
すなわち、図１７に示す特許文献１の構成では、第１暖房放熱体１１４のみを暖房運転すること、または第１暖房放熱体１１４と第２暖房放熱体１２４を直列に暖房運転すること、の２通りの暖房運転が可能である。しかし図１７に示す特許文献１の構成では、第２暖房放熱体１２４のみを暖房運転することと、第１暖房放熱体１１４と第２暖房放熱体１２４を並列に暖房運転することはできない。
【先行技術文献】
【特許文献】
【０００４】
【特許文献１】特許第４０６３７５６号公報
【発明の概要】
【発明が解決しようとする課題】
【０００５】
図１７に示す特許文献１に記載された暖房システムでは、暖房熱媒は第１部屋１１０の中央部に敷設された第１暖房放熱体１１４にて放熱した後で熱源機１３０に戻される場合が有るが、近年の高気密高断熱住宅では、それ以前の住宅と比較して第１部屋１１０の暖房負荷が小さくなるため、暖房熱媒が放熱後に熱源機１３０に戻る際の暖房熱媒の温度が高くなる傾向にある。この結果、熱源機１３０の加熱による暖房熱媒の温度上昇及び熱源機１３０の出力が小さくなり、熱源機１３０の暖房運転効率が低下する傾向にある。
また、暖房熱媒の放熱後温度が従来よりも高くなると、保有熱によって別の部屋の暖房をすることで効率的な熱利用が可能となるが、特許文献１では、別の部屋の暖房までは行っていない。
例えば、特許文献１に記載の暖房システムの第２暖房放熱体（図１７中の第２暖房放熱体１２４）を、第１部屋１１０の周辺部ではなく、第２部屋１２０の中央部に敷設する（図１８参照）ことで、効率的な熱利用が可能となる。
しかし、特許文献１に記載の構成を応用した図１８に示す構成では、第２部屋１２０に敷設された第２暖房放熱体１２４への暖房熱媒の流通は、第１部屋１１０の第１暖房放熱体１１４への暖房熱媒の流通時に限定されてしまう。これでは、第２部屋１２０の暖房は、第１部屋１１０の暖房を行っているときのみしか行うことができず、第２部屋１２０の単独暖房を所望する利用者の要求に応えることができない。また図１８に示す構成では、外気温度が著しく低下し、第１部屋１１０及び第２部屋１２０の暖房負荷が非常に大きくなった場合は、第１部屋１１０の暖房後の暖房熱媒の温度が低くなり、第２部屋１２０の暖房を充分に行うことができない可能性がある。
本発明は、このような点に鑑みて創案されたものであり、２つの異なる部屋を、より快適に、且つより効率良く暖房することが可能であり、熱源機の暖房運転効率をより向上させることができる暖房システムを提供することを課題とする。
【課題を解決するための手段】
【０００６】
上記課題を解決するため、本発明に係る暖房システムは次の手段をとる。
まず、本発明の第１の発明は、暖房熱媒を加熱する熱源機と、前記熱源機との間で循環する暖房熱媒が流通する暖房配管経路で接続された第１暖房放熱体及び第２暖房放熱体と、前記第１暖房放熱体の運転状態を利用者が設定可能な第１運転状態設定手段と、前記第２暖房放熱体の運転状態を利用者が設定可能な第２運転状態設定手段と、を備えた暖房システムにおいて、前記第１運転状態設定手段及び前記第１暖房放熱体は第１部屋に設置されており、前記第２運転状態設定手段及び前記第２暖房放熱体は前記第１部屋とは異なる第２部屋に設置されている。
前記暖房配管経路は、前記熱源機から吐出された暖房熱媒を暖房配管分岐手段に流入する暖房加熱後配管と、前記暖房配管分岐手段にて分岐されて吐出された暖房熱媒を前記第１暖房放熱体に流入する第１暖房加熱後分岐配管と、前記暖房配管分岐手段にて分岐されて吐出された暖房熱媒を前記第２暖房放熱体に流入する第２暖房加熱後分岐配管と、前記第１暖房放熱体から吐出された暖房熱媒を暖房配管混合手段に流入する第１暖房放熱後混合配管と、前記第２暖房放熱体から吐出された暖房熱媒を暖房配管混合手段に流入する第２暖房放熱後混合配管と、前記暖房配管混合手段にて混合されて吐出された暖房熱媒を前記熱源機に流入する暖房放熱後配管と、前記第１暖房放熱後混合配管のいずれかの位置と前記第２暖房加熱後分岐配管のいずれかの位置とに接続された第１暖房バイパス配管と、前記暖房配管分岐手段と、前記暖房配管混合手段と、にて構成されている。
そして、前記熱源機には、暖房熱媒を循環させる第１暖房循環ポンプが設けられており、前記第１暖房加熱後分岐配管のいずれかの位置には、当該第１暖房加熱後分岐配管を閉鎖状態あるいは開口状態に切り替え可能な第１開閉弁が設けられており、前記第２暖房加熱後分岐配管における前記暖房配管分岐手段が接続されている個所から前記第１暖房バイパス配管が接続されている個所までに至るいずれかの位置には、当該第２暖房加熱後分岐配管を閉鎖状態あるいは開口状態に切り替え可能な第２開閉弁が設けられており、前記第１暖房放熱後混合配管と前記第１暖房バイパス配管とが接続されている個所には、前記第１暖房放熱後混合配管から流入された暖房熱媒を前記第１暖房バイパス配管に向けて吐出するように、あるいは前記第１暖房放熱後混合配管から流入された暖房熱媒を前記暖房配管混合手段に向けて吐出するように、切り替え可能な第１流路切替弁が設けられている、暖房システムである。
【０００７】
この第１の発明では、図１に示すように、第１開閉弁と第２開閉弁と第１流路切替弁を用いて、熱源機と第１暖房放熱体と第２暖房放熱体を適切な配管で接続する。
第１の発明の構成を有することで、第１部屋と第２部屋に対して以下の４通りの暖房運転を行うことが可能となる。
（１）第１部屋（第１暖房放熱体）のみの暖房運転。
（２）第２部屋（第２暖房放熱体）のみの暖房運転。
（３）第１部屋（第１暖房放熱体）と第２部屋（第２暖房放熱体）を、熱源機に対して並列に接続した暖房運転。
（４）第１部屋（第１暖房放熱体）と第２部屋（第２暖房放熱体）を、熱源機に対して直列に接続した暖房運転。
これにより、２つの異なる部屋を、それぞれ個別に暖房することや、並列に暖房することや、直列に暖房することが可能となり、利用者の所望する暖房状態に応じて、より快適に、且つより効率良く暖房することが可能であり、熱源機の暖房運転効率をより向上させることができる。
【０００８】
次に、本発明の第２の発明は、上記第１の発明に係る暖房システムであって、前記暖房放熱後配管あるいは前記暖房加熱後配管のいずれかの位置に、前記第１暖房循環ポンプに加えて暖房熱媒を循環させる第２暖房循環ポンプが設けられている。
あるいは、前記暖房放熱後配管のいずれかの位置と前記暖房加熱後配管のいずれかの位置とに接続された第２暖房バイパス配管を備え、前記第２暖房バイパス配管には、前記暖房放熱後配管からの暖房熱媒の少なくとも一部を前記暖房加熱後配管に導くことが可能な第３暖房循環ポンプが設けられている。
【０００９】
この第２の発明によれば、例えば第１部屋と第２部屋を、熱源機に対して直列に接続した場合において、暖房熱媒の循環経路が長くなって第１暖房循環ポンプの能力では能力不足となるような場合、第２暖房循環ポンプあるいは第３暖房循環ポンプを第１暖房循環ポンプと同時に使用することで、第１暖房循環ポンプの能力を補うことができる。
【００１０】
次に、本発明の第３の発明は、上記第１の発明または第２の発明に係る暖房システムであって、前記第２暖房放熱後混合配管のいずれかの位置と前記第１暖房加熱後分岐配管のいずれかの位置とに接続された第３暖房バイパス配管を備え、前記第１開閉弁は、前記第１暖房加熱後分岐配管における前記暖房配管分岐手段が接続されている個所から前記第３暖房バイパス配管が接続されている個所までに至るいずれかの位置に設けられており、前記第２暖房放熱後混合配管と前記第３暖房バイパス配管とが接続されている個所には、前記第２暖房放熱後混合配管から流入された暖房熱媒を前記第３暖房バイパス配管に向けて吐出するように、あるいは前記第２暖房放熱後混合配管から流入された暖房熱媒を前記暖房配管混合手段に向けて吐出するように、切り替え可能な第２流路切替弁が設けられている。
【００１１】
この第３の発明によれば、第１部屋と第２部屋を、熱源機に対して直列に接続した暖房を行う場合において、熱源機からの暖房熱媒を、第１部屋に先に流通させた後で第２部屋に流通させる経路と、第２部屋に先に流通させた後で第１部屋に流通させる経路と、のいずれの直列経路も自由に選択することができる構成を実現できる。
これにより、利用者の所望する暖房状態に応じて、より快適に、且つより効率良く暖房することが可能であり、熱源機の暖房運転効率をより向上させることができる。
【００１２】
次に、本発明の第４の発明は、上記第１の発明または第２の発明に係る暖房システムであって、前記第１暖房放熱後混合配管における前記第１暖房放熱体と前記第１流路切替弁の間のいずれかの位置には、第１温度検出手段が設けられており、前記第１開閉弁と前記第２開閉弁と前記第１流路切替弁は、前記第１温度検出手段にて検出された暖房熱媒の温度に基づいた温度条件に応じて制御される。
【００１３】
この第４の発明によれば、第１部屋と第２部屋を同時に暖房する場合、第１温度検出手段にて検出した暖房熱媒の温度によって、熱源機に対して第１暖房放熱体と第２暖房放熱体を、並列に接続するべきか、直列に接続するべきか、を適切に判断し、第１開閉弁と第２開閉弁と第１流路切替弁を適切に制御することができる。
【００１４】
次に、本発明の第５の発明は、上記第３の発明に係る暖房システムであって、前記第１暖房放熱後混合配管における前記第１暖房放熱体と前記第１流路切替弁の間のいずれかの位置、あるいは前記第２暖房放熱後混合配管における前記第２暖房放熱体と前記第２流路切替弁の間のいずれかの位置、の少なくとも一方には、第１温度検出手段が設けられており、前記第１開閉弁と前記第２開閉弁と前記第１流路切替弁と前記第２流路切替弁は、前記第１温度検出手段にて検出された暖房熱媒の温度に基づいた温度条件に応じて制御される。
【００１５】
この第５の発明によれば、第２流路切替弁及び第３暖房バイパス配管を有する暖房システムにおいて、第１部屋と第２部屋を同時に暖房する場合、第１温度検出手段にて検出した暖房熱媒の温度によって、熱源機に対して第１暖房放熱体と第２暖房放熱体を、並列に接続するべきか、直列に接続（第１暖房放熱体に先に暖房熱媒を流通させる）するべきか、直列に接続（第２暖房放熱体に先に暖房熱媒を流通させる）するべきか、を適切に判断し、第１開閉弁と第２開閉弁と第１流路切替弁と第２流路切替弁を適切に制御することができる。
【００１６】
次に、本発明の第６の発明は、上記第１の発明または第２の発明に係る暖房システムであって、前記第２暖房加熱後分岐配管における前記第２開閉弁と前記第２暖房放熱体の間のいずれかの位置には、第２温度検出手段が設けられており、前記第１開閉弁と前記第２開閉弁と前記第１流路切替弁は、前記第２温度検出手段にて検出された暖房熱媒の温度に基づいた温度条件に応じて制御される。
【００１７】
この第６の発明によれば、第１部屋と第２部屋を同時に暖房する場合、第２温度検出手段にて検出した暖房熱媒の温度によって、熱源機に対して第１暖房放熱体と第２暖房放熱体を、並列に接続するべきか、直列に接続するべきか、を適切に判断し、第１開閉弁と第２開閉弁と第１流路切替弁を適切に制御することができる。
【００１８】
次に、本発明の第７の発明は、上記第３の発明に係る暖房システムであって、前記第２暖房加熱後分岐配管における前記第２開閉弁と前記第２暖房放熱体の間のいずれかの位置、あるいは前記第１暖房加熱後分岐配管における前記第１開閉弁と前記第１暖房放熱体の間のいずれかの位置、の少なくとも一方には、第２温度検出手段が設けられており、前記第１開閉弁と前記第２開閉弁と前記第１流路切替弁と前記第２流路切替弁は、前記第２温度検出手段にて検出された暖房熱媒の温度に基づいた温度条件に応じて制御される。
【００１９】
この第７の発明によれば、第２流路切替弁及び第３暖房バイパス配管を有する暖房システムにおいて、第１部屋と第２部屋を同時に暖房する場合、第２温度検出手段にて検出した暖房熱媒の温度によって、熱源機に対して第１暖房放熱体と第２暖房放熱体を、並列に接続するべきか、直列に接続（第１暖房放熱体に先に暖房熱媒を流通させる）するべきか、直列に接続（第２暖房放熱体に先に暖房熱媒を流通させる）するべきか、を適切に判断し、第１開閉弁と第２開閉弁と第１流路切替弁と第２流路切替弁を適切に制御することができる。
【００２０】
次に、本発明の第８の発明は、上記第１の発明〜第３の発明のいずれか１つに係る暖房システムであって、前記熱源機の内部あるいは前記熱源機の外部の少なくとも一方には、外気温度を検出可能な第３温度検出手段が設けられている。
そして、前記第２流路切替弁を有していない場合、前記第１開閉弁と前記第２開閉弁と前記第１流路切替弁は、前記第３温度検出手段にて検出された外気温度に基づいた温度条件に応じて制御される。
また、前記第２流路切替弁を有している場合、前記第１開閉弁と前記第２開閉弁と前記第１流路切替弁と前記第２流路切替弁は、前記第３温度検出手段にて検出された外気温度に基づいた温度条件に応じて制御される。
【００２１】
この第８の発明によれば、第１部屋と第２部屋を同時に暖房する場合、第３温度検出手段にて検出した外気の温度によって、熱源機に対して第１暖房放熱体と第２暖房放熱体を、並列に接続するべきか、直列に接続するべきか、を適切に判断し、第１開閉弁と第２開閉弁と第１流路切替弁（と第２流路切替弁）を適切に制御することができる。
【００２２】
次に、本発明の第９の発明は、上記第１の発明または第２の発明に係る暖房システムであって、前記第１暖房放熱体の暖房運転と前記第２暖房放熱体の暖房運転を行う場合、所定時間が経過するまでは、第１並列暖房運転を行い、前記所定時間を経過後は、第１直列暖房運転を行う。
そして、前記第１並列暖房運転では、前記第１開閉弁は、開状態に制御され、前記第２開閉弁は、開状態に制御され、前記第１流路切替弁は、前記第１暖房放熱後混合配管からの暖房熱媒を前記暖房配管混合手段へ向けて吐出する側に制御される。
また、前記第１直列暖房運転では、前記第１開閉弁は、開状態に制御され、前記第２開閉弁は、閉状態に制御され、前記第１流路切替弁は、前記第１暖房放熱後混合配管からの暖房熱媒を前記第１暖房バイパス配管へ向けて吐出する側に制御される。
【００２３】
この第９の発明によれば、第１部屋と第２部屋を同時に暖房する場合、暖房開始時点では所定時間が経過するまでは、熱源機に対して第１暖房放熱体と第２暖房放熱体を並列に接続して暖房を行い、所定時間が経過後は、熱源機に対して第１暖房放熱体と第２暖房放熱体を直列に接続して暖房を行う。
これにより、暖房開始時には、第１部屋と第２部屋を並列に暖房することで、より短時間に目標温度まで暖房し、所定時間が経過した後は、直列に暖房することで、効率良く温度を維持することができる。
【００２４】
次に、本発明の第１０の発明は、上記第３の発明に係る暖房システムであって、前記第１暖房放熱体の暖房運転と前記第２暖房放熱体の暖房運転を行う場合、所定時間が経過するまでは、第２並列暖房運転を行い、前記所定時間を経過後は、第２直列暖房運転または第３直列暖房運転を行う。
そして、前記第２並列暖房運転では、前記第１開閉弁は、開状態に制御され、前記第２開閉弁は、開状態に制御され、前記第１流路切替弁は、前記第１暖房放熱後混合配管からの暖房熱媒を前記暖房配管混合手段へ向けて吐出する側に制御され、前記第２流路切替弁は、前記第２暖房放熱後混合配管からの暖房熱媒を前記暖房配管混合手段へ向けて吐出する側に制御される。
また、前記第２直列暖房運転では、前記第１開閉弁は、開状態に制御され、前記第２開閉弁は、閉状態に制御され、前記第１流路切替弁は、前記第１暖房放熱後混合配管からの暖房熱媒を前記第１暖房バイパス配管へ向けて吐出する側に制御され、前記第２流路切替弁は、前記第２暖房放熱後混合配管からの暖房熱媒を前記暖房配管混合手段へ向けて吐出する側に制御される。
また、前記第３直列暖房運転では、前記第１開閉弁は、閉状態に制御され、前記第２開閉弁は、開状態に制御され、前記第１流路切替弁は、前記第１暖房放熱後混合配管からの暖房熱媒を前記暖房配管混合手段へ向けて吐出する側に制御され、前記第２流路切替弁は、前記第２暖房放熱後混合配管からの暖房熱媒を前記第３暖房バイパス配管へ向けて吐出する側に制御される。
【００２５】
この第１０の発明によれば、第１部屋と第２部屋を同時に暖房する場合、暖房開始時点では所定時間が経過するまでは、熱源機に対して第１暖房放熱体と第２暖房放熱体を並列に接続して暖房を行い、所定時間が経過後は、熱源機に対して第１暖房放熱体と第２暖房放熱体を直列に接続して暖房を行う。
これにより、暖房開始時には、第１部屋と第２部屋を並列に暖房（第２並列暖房運転）することで、より短時間に目標温度まで暖房し、所定時間が経過した後は、直列に暖房（第１部屋を先に暖房する第２直列暖房運転）、または直列に暖房（第２部屋を先に暖房する第３直列暖房運転）することで、効率良く温度を維持することができる。
【００２６】
次に、本発明の第１１の発明は、上記第１の発明〜第１０の発明のいずれか１つに係る暖房システムであって、前記熱源機は、前記第１開閉弁と前記第２開閉弁を制御可能な熱源機制御手段を備えており、前記熱源機制御手段と前記第１運転状態設定手段との間の通信情報の送受信を中継し、且つ前記熱源機制御手段と前記第２運転状態設定手段との間の通信情報の送受信を中継する流路切替制御手段を備える。
そして、前記第２流路切替手段を有していない場合、前記流路切替制御手段は、中継した通信情報に基づいて、前記第１流路切替弁を制御する。
また、前記第２流路切替手段を有している場合、前記流路切替制御手段は、中継した通信情報に基づいて、前記第１流路切替弁と前記第２流路切替弁を制御する。
【００２７】
この第１１の発明によれば、通信の中継を行う流路切替制御手段を備えることで、第１運転状態設定手段からの情報と、第２運転状態設定手段からの情報と、熱源機からの情報を、流路切替制御手段に認識させることができるので、流路切替制御手段から第１流路切替弁、第２流路切替弁を、適切に制御することができる。
【００２８】
次に、本発明の第１２の発明は、上記第１の発明〜第１０の発明のいずれか１つに係る暖房システムであって、前記熱源機は、前記第１開閉弁と前記第２開閉弁を制御可能な熱源機制御手段を備えており、前記熱源機制御手段と前記第１運転状態設定手段との間の通信情報の送受信を中継せず、且つ前記熱源機制御手段と前記第２運転状態設定手段との間の通信情報の送受信を中継せず、且つ前記熱源機制御手段との間で通信情報を送受信可能な流路切替制御手段を備える。
そして、前記第２流路切替手段を有していない場合、前記流路切替制御手段は、受信した通信情報に基づいて、前記第１流路切替弁を制御する。
また、前記第２流路切替手段を有している場合、前記流路切替制御手段は、受信した通信情報に基づいて、前記第１流路切替弁と前記第２流路切替弁を制御する。
【００２９】
この第１２の発明によれば、熱源機制御手段と通信情報を送受信可能な流路切替制御手段を備えることで、熱源機からの情報を、流路切替制御手段に認識させることができるので、流路切替制御手段から第１流路切替弁、第２流路切替弁を、適切に制御することができる。
【００３０】
次に、本発明の第１３の発明は、上記第１１の発明または第１２の発明に係る暖房システムであって、前記熱源機制御手段から前記第１開閉弁を制御可能な第１開閉弁制御配線及び前記第２開閉弁を制御可能な第２開閉弁制御配線は、前記第１開閉弁及び前記第２開閉弁に接続されることなく前記流路切替制御手段に入力されている。
そして、前記第２流路切替手段を有していない場合、前記流路切替制御手段は、前記第１開閉弁と前記第２開閉弁と前記第１流路切替弁を制御可能であり、前記第１開閉弁制御配線からの制御信号と、前記第２開閉弁制御配線からの制御信号と、中継あるいは受信した通信情報と、に基づいて、前記第１開閉弁と前記第２開閉弁と前記第１流路切替弁を制御する。
また、前記第２流路切替手段を有している場合、前記流路切替制御手段は、前記第１開閉弁と前記第２開閉弁と前記第１流路切替弁と前記第２流路切替弁を制御可能であり、前記第１開閉弁制御配線からの制御信号と、前記第２開閉弁制御配線からの制御信号と、中継あるいは受信した通信情報と、に基づいて、前記第１開閉弁と前記第２開閉弁と前記第１流路切替弁と前記第２流路切替弁を制御する。
【００３１】
この第１３の発明によれば、流路切替制御手段を用いて、第１流路切替弁と第２流路切替弁を、さらに適切に制御することが可能である。
これにより、第１部屋と第２部屋をより効率良く暖房することが可能であり、熱源機の暖房運転効率をより向上させることができる。
【図面の簡単な説明】
【００３２】
【図１】第１の実施の形態の暖房システム１Ａの構成の例を説明する図である。
【図２】第２の実施の形態の暖房システム１Ｂの構成の例を説明する図である。
【図３】第３の実施の形態の暖房システム１Ｃの構成の例を説明する図である。
【図４】第４の実施の形態の暖房システム１Ｄの構成の例を説明する図である。
【図５】第５の実施の形態の暖房システム１Ｅの構成の例を説明する図である。
【図６】第６の実施の形態の暖房システム１Ｆの構成の例を説明する図である。
【図７】第７の実施の形態の暖房システム１Ｇの構成の例を説明する図である。
【図８】第８の実施の形態の暖房システム１Ｈの構成の例を説明する図である。
【図９】第９の実施の形態の暖房システム１Ｊの構成の例を説明する図である。
【図１０】第１０の実施の形態の暖房システム１Ｋの構成の例を説明する図である。
【図１１】第１１の実施の形態の暖房システム１Ｌの構成の例を説明する図である。
【図１２】第１２の実施の形態の暖房システム１Ｍの構成の例を説明する図である。
【図１３】第１３の実施の形態の暖房システム１Ｎの構成の例を説明する図である。
【図１４】第１４の実施の形態の暖房システム１Ｐの構成の例を説明する図である。
【図１５】第１５の実施の形態の暖房システム１Ｑの構成の例を説明する図である。
【図１６】第１６の実施の形態の暖房システム１Ｒの構成の例を説明する図である。
【図１７】従来の暖房システム１０１の構成の例を説明する図である。
【図１８】図１７に示す従来の暖房システム１０１を２つの異なる部屋に応用した暖房システム１０２の構成の例を説明する図である。
【発明を実施するための形態】
【００３３】
以下に本発明を実施するための形態を図面を用いて説明する。
●［第１の実施の形態の暖房システム１Ａ（図１）］
図１に示すように、第１の実施の形態の暖房システム１Ａは、熱源機３０と、第１部屋１０に設けられた第１暖房放熱体１４と、第２部屋２０に設けられた第２暖房放熱体２４と、第１運転状態設定手段１１と、第２運転状態設定手段２１と、各配管（暖房配管経路に相当）にて構成されている。
【００３４】
熱源機３０は、熱源機制御手段３１（熱源機制御装置）と、燃焼加熱手段３２（燃焼加熱器）と、燃焼熱交換器３３と、第１暖房循環ポンプ４１等を有している。
また熱源機３０には、燃料配管３７、暖房放熱後配管３６、暖房加熱後配管３５が接続されている。
燃焼加熱手段３２は、熱源機制御手段３１からの制御信号に基づいて、燃料配管３７から供給されるガス等の燃料を燃焼させる。
また燃焼熱交換器３３は、燃焼加熱手段３２の熱を用いて、暖房放熱後配管３６から流入される暖房熱媒（例えば温水）を加熱する。
また第１暖房循環ポンプ４１は、熱源機制御手段３１からの制御信号に基づいて、暖房放熱後配管３６から暖房熱媒を熱源機３０に流入させ、燃焼熱交換器３３にて加熱した暖房熱媒を暖房加熱後配管３５から吐出するように、暖房熱媒を循環させる。
【００３５】
第１部屋１０は、リビング、ダイニング、キッチン、サニタリ、脱衣室、寝室、子供部屋等の暖房対象空間であり、床暖房等の第１暖房放熱体１４が設けられている。
また第１部屋１０には、第１暖房放熱体１４の運転状態を利用者が設定可能な第１運転状態設定手段１１（第１コントローラ）が設けられている。
第２部屋２０は、リビング、ダイニング、キッチン、サニタリ、脱衣室、寝室、子供部屋等の暖房対象空間であり、床暖房等の第２暖房放熱体２４が設けられている。
また第２部屋２０には、第２暖房放熱体２４の運転状態を利用者が設定可能な第２運転状態設定手段２１（第２コントローラ）が設けられている。
また熱源機制御手段３１は、無線あるいは有線（通信線Ｔ１）にて第１運転状態設定手段１１と通信可能に接続されており、第１運転状態設定手段１１との間で情報の送受信が可能である。
また熱源機制御手段３１は、無線あるいは有線（通信線Ｔ２）にて第２運転状態設定手段２１と通信可能に接続されており、第２運転状態設定手段２１との間で情報の送受信が可能である。
【００３６】
暖房配管経路は、暖房加熱後配管３５と、暖房配管分岐手段４５と、第１暖房加熱後分岐配管１３と、第２暖房加熱後分岐配管２３と、第１暖房放熱後混合配管１５と、第２暖房放熱後混合配管２５と、暖房配管混合手段４６と、暖房放熱後配管３６と、第１暖房バイパス配管６１にて構成されている。
暖房加熱後配管３５は、熱源機３０の吐出口と、暖房配管分岐手段４５の流入口と、に接続され、熱源機３０から吐出された暖房熱媒を暖房配管分岐手段４５に流入する。
第１暖房加熱後分岐配管１３は、暖房配管分岐手段４５の吐出口と、第１暖房放熱体１４の流入口と、に接続され、暖房配管分岐手段４５にて分岐されて吐出された暖房熱媒を第１暖房放熱体１４に流入する。
第２暖房加熱後分岐配管２３は、暖房配管分岐手段４５の吐出口と、第２暖房放熱体２４の流入口と、に接続され、暖房配管分岐手段４５にて分岐されて吐出された暖房熱媒を第２暖房放熱体２４に流入する。
暖房配管分岐手段４５は、流入された暖房熱媒を複数の経路に吐出する分岐ヘッダであり、暖房加熱後配管３５の他方の側と、第１暖房加熱後分岐配管１３の一方の側と、第２暖房加熱後分岐配管２３の一方の側と、が接続されている。そして暖房配管分岐手段４５は、暖房加熱後配管３５から流入した暖房熱媒を、第１暖房加熱後分岐配管１３と、第２暖房加熱後分岐配管２３と、に吐出する。
【００３７】
第１暖房放熱後混合配管１５は、第１暖房放熱体１４の吐出口と、暖房配管混合手段４６の流入口と、に接続され、第１暖房放熱体１４から吐出された暖房熱媒を暖房配管混合手段４６に流入する。
第２暖房放熱後混合配管２５は、第２暖房放熱体２４の吐出口と、暖房配管混合手段４６の流入口と、に接続され、第２暖房放熱体２４から吐出された暖房熱媒を暖房配管混合手段４６に流入する。
暖房放熱後配管３６は、暖房配管混合手段４６の吐出口と、熱源機３０の流入口と、に接続され、暖房配管混合手段４６から吐出された暖房熱媒を熱源機３０に流入する。
暖房配管混合手段４６は、複数の経路から流入された暖房熱媒を混合して吐出する混合ヘッダであり、第１暖房放熱後混合配管１５の他方の側と、第２暖房放熱後混合配管２５の他方の側と、暖房放熱後配管３６の一方の側と、が接続されている。そして暖房配管混合手段４６は、第１暖房放熱後混合配管１５と第２暖房放熱後混合配管２５とから流入した暖房熱媒を混合して暖房放熱後配管３６に吐出する。
第１暖房バイパス配管６１は、第１暖房放熱後混合配管１５のいずれかの位置と、第２暖房加熱後分岐配管２３のいずれかの位置と、に接続されている。
【００３８】
また、上記の暖房配管経路上の所定の位置には、以下に説明する第１開閉弁１２、第２開閉弁２２、第１流路切替弁１６が設けられている。
第１開閉弁１２は、第１暖房加熱後分岐配管１３のいずれかの位置に設けられており、第１暖房加熱後分岐配管１３を閉鎖状態または開口状態に切り替え可能である。
第２開閉弁２２は、第２暖房加熱後分岐配管２３における暖房配管分岐手段４５が接続されている個所から第１暖房バイパス配管６１が接続されている個所までに至るいずれかの位置に設けられており、第２暖房加熱後分岐配管２３を閉鎖状態あるいは開口状態に切り替え可能である。
なお、第１開閉弁１２、第２開閉弁２２は、開状態または閉状態に制御されるバルブ、あるいはデューティ比で開度量が制御されるバルブであり、熱源機制御手段３１からの制御信号に基づいて制御される。
第１流路切替弁１６は、第１暖房放熱後混合配管１５と第１暖房バイパス配管６１とが接続されている個所に設けられており、第１暖房放熱後混合配管１５から流入された暖房熱媒を第１暖房バイパス配管６１へ向けて吐出するように、あるいは第１暖房放熱後混合配管１５から流入された暖房熱媒を暖房配管混合手段４６に向けて吐出するように、切り替え可能である。なお、第１流路切替弁１６は、熱源機制御手段３１からの制御信号に基づいて制御される。
【００３９】
以上の構成により、以下の（１）〜（４）の暖房運転が可能となる。
（１）第１部屋１０のみを暖房運転。
例えば、利用者は、第１運転状態設定手段１１を操作して、第１部屋１０の暖房運転の開始と、暖房レベル（強、中、弱や、暖房温度等）を入力指示する。この場合、第２運転状態設定手段２１からの暖房運転の要求は無い。
上記の入力指示に基づいた運転情報は、第１運転状態設定手段１１から熱源機制御手段３１に送信される。
例えば、熱源機制御手段３１は、第１部屋の暖房の開始要求と暖房レベルを認識し、熱源機３０を起動して暖房熱媒を加熱し、第１暖房循環ポンプ４１を起動して暖房熱媒の循環を開始し、第１開閉弁１２を開状態に制御し、第２開閉弁２２を閉状態に制御し、第１流路切替弁１６を、第１暖房放熱後混合配管１５から流入された暖房熱媒を暖房配管混合手段４６に向けて吐出する側に制御する。
【００４０】
（２）第２部屋２０のみを暖房運転。
例えば、利用者は、第２運転状態設定手段２１を操作して、第２部屋２０の暖房運転の開始と、暖房レベル（強、中、弱や、暖房温度等）を入力指示する。この場合、第１運転状態設定手段１１からの暖房運転の要求は無い。
上記の入力指示に基づいた運転情報は、第２運転状態設定手段２１から熱源機制御手段３１に送信される。
例えば、熱源機制御手段３１は、第２部屋の暖房の開始要求と暖房レベルを認識し、熱源機３０を起動して暖房熱媒を加熱し、第１暖房循環ポンプ４１を起動して暖房熱媒の循環を開始し、第１開閉弁１２を閉状態に制御し、第２開閉弁２２を開状態に制御し、第１流路切替弁１６を、第１暖房放熱後混合配管１５から流入された暖房熱媒を暖房配管混合手段４６に向けて吐出する側に制御する。
【００４１】
（３）第１部屋１０と第２部屋２０を並列に暖房運転。
例えば、（第１の）利用者は、第１運転状態設定手段１１を操作して、第１部屋１０の暖房運転の開始と、暖房レベル（強、中、弱や、暖房温度等）を入力指示する。
また（第２の）利用者は、第２運転状態設定手段２１を操作して、第２部屋２０の暖房運転の開始と、暖房レベル（強、中、弱や、暖房温度等）を入力指示する。
上記の入力指示に基づいた第１運転状態設定手段１１からの運転情報は、第１運転状態設定手段１１から熱源機制御手段３１に送信される。
また、上記の入力指示に基づいた第２運転状態設定手段２１からの運転情報は、第２運転状態設定手段２１から熱源機制御手段３１に送信される。
例えば、熱源機制御手段３１は、第１部屋の暖房の開始要求と暖房レベルと、第２部屋の暖房の開始要求と暖房レベルと、を認識し、熱源機３０を起動して暖房熱媒を加熱し、第１暖房循環ポンプ４１を起動して暖房熱媒の循環を開始し、第１開閉弁１２を開状態に制御し、第２開閉弁２２を開状態に制御し、第１流路切替弁１６を、第１暖房放熱後混合配管１５から流入された暖房熱媒を暖房配管混合手段４６に向けて吐出する側に制御する。
例えば熱源機制御手段３１は、上記のように第１部屋１０と第２部屋２０の並列の暖房運転を開始してから所定時間（例えば１時間程度）は、並列の暖房運転を維持する。
並列して暖房運転を行うことで、第１部屋と第２部屋の暖房状態を、より短時間に目標暖房レベルに到達させることができる。そして熱源機制御手段３１は、所定時間が経過後は、並列の暖房運転から、後述する「（４）第１部屋１０と第２部屋２０を直列に暖房運転。」へと切り替え、より効率良く第１部屋と第２部屋の暖房状態を維持する。
【００４２】
（４）第１部屋１０と第２部屋２０を直列に暖房運転。
例えば上記の「（３）第１部屋１０と第２部屋２０を並列に暖房運転。」を開始してから所定時間が経過後、熱源機制御手段３１は、第２開閉弁２２を開状態から閉状態へと切り替えて当該状態を維持し、第１流路切替弁１６を、第１暖房放熱後混合配管１５から流入された暖房熱媒を暖房配管混合手段４６に向けて吐出する側から、第１暖房放熱後混合配管１５から流入された暖房熱媒を第１暖房バイパス配管６１に向けて吐出する側へと切り替えて当該状態を維持する。
なお図１に示す第１の実施の形態の構成では、第１部屋１０と第２部屋２０を直列に暖房運転する場合、第１部屋を暖房した後で第２部屋を暖房することが可能であるが、第２部屋を第１部屋よりも先に暖房することはできない。
【００４３】
以上のように、２つの異なる部屋を、それぞれ個別に暖房することや、並列に暖房することや、直列に暖房することが可能となり、利用者の所望する暖房状態に応じて、より快適に、且つより効率良く暖房することが可能であり、熱源機の暖房運転効率をより向上させることができる。
以上に説明したように、第１部屋（第１暖房放熱体）と第２部屋（第２暖房放熱体）の暖房運転（同時運転）を行う場合、所定時間が経過するまでは、第１並列暖房運転を行い、所定時間を経過後では、第１直列暖房運転を行う。
そして第１並列暖房運転では、第１開閉弁を開状態に制御し、第２開閉弁を開状態に制御し、第１流路切替弁を第１暖房放熱後混合配管から流入された暖房熱媒を暖房配管混合手段に向けて吐出する側へ制御する。
また第１直列暖房運転では、第１開閉弁を開状態に制御し、第２開閉弁を閉状態に制御し、第１流路切替弁を第１暖房放熱後混合配管から流入された暖房熱媒を第１暖房バイパス配管に向けて吐出する側へ制御する。
【００４４】
●［第２の実施の形態の暖房システム１Ｂ（図２）］
次に図２を用いて、第２の実施の形態の暖房システム１Ｂについて説明する。図２に示す第２の実施の形態の暖房システム１Ｂは、図１に示す第１の実施の形態の暖房システム１Ａに対して、第２暖房循環ポンプ４２が追加されている点が異なる。以下、この相違点について主に説明する。
【００４５】
第２暖房循環ポンプ４２は、暖房加熱後配管３５あるいは暖房放熱後配管３６のいずれかの位置に設けられている。また第２暖房循環ポンプ４２は、熱源機制御手段３１からの制御信号に基づいて駆動され、暖房放熱後配管３６から暖房熱媒を熱源機３０に流入させ、燃焼熱交換器３３にて加熱した暖房熱媒を暖房加熱後配管３５から吐出するように、暖房熱媒を循環させ、第１暖房循環ポンプ４１による暖房熱媒の循環を補うように駆動される。
【００４６】
例えば、熱源機制御手段３１は、第１部屋のみを暖房運転する場合や、第２部屋のみを暖房運転する場合では、放熱量が比較的少なく、暖房熱媒の循環流量が比較的少ないので、第１暖房循環ポンプ４１のみを駆動する。
また熱源機制御手段３１は、第１部屋と第２部屋を並列に暖房運転する場合や、第１部屋と第２部屋を直列に暖房運転する場合では、放熱量が比較的多く、暖房熱媒の循環流量が比較的多いので、第１暖房循環ポンプ４１と第２暖房循環ポンプ４２の双方を駆動する。
【００４７】
例えば、第１部屋のみを暖房する既存の暖房システムが設置されていた住宅に、あとから追加工事を行って図２に示すような暖房システムとした場合、既存の第１暖房循環ポンプでは能力が不足するような場合であっても、第２暖房循環ポンプを追加することで、第１暖房循環ポンプを交換することなく第１暖房循環ポンプの能力を補うことができる。
【００４８】
●［第３の実施の形態の暖房システム１Ｃ（図３）］
次に図３を用いて、第３の実施の形態の暖房システム１Ｃについて説明する。図３に示す第３の実施の形態の暖房システム１Ｃは、図１に示す第１の実施の形態の暖房システム１Ａに対して、第２暖房バイパス配管６２と第３暖房循環ポンプ４３が追加されている点が異なる。以下、この相違点について主に説明する。
【００４９】
第２暖房バイパス配管６２は、暖房放熱後配管３６のいずれかの位置と、暖房加熱後配管３５のいずれかの位置と、に接続されている。
第３暖房循環ポンプ４３は、第２暖房バイパス配管６２のいずれかの位置に設けられている。また第３暖房循環ポンプ４３は、熱源機制御手段３１からの制御信号に基づいて駆動され、駆動された場合は、暖房放熱後配管３６からの暖房熱媒の少なくとも一部を暖房加熱後配管３５に導くことが可能である。なお、第３暖房循環ポンプ４３が停止している場合、暖房熱媒は第２暖房バイパス配管６２に流入することはない。
【００５０】
例えば、熱源機制御手段３１は、第１部屋のみを暖房運転する場合や、第２部屋のみを暖房運転する場合では、放熱量が比較的少なく、暖房熱媒の循環流量が比較的少ないので、第１暖房循環ポンプ４１のみを駆動する。また熱源機制御手段３１は、第１部屋と第２部屋を並列に暖房運転する場合や、第１部屋と第２部屋を直列に暖房運転する場合では、放熱量が比較的多く、暖房熱媒の循環流量が比較的多いので、第１暖房循環ポンプ４１と第３暖房循環ポンプ４３の双方を駆動する。
【００５１】
例えば、第１部屋のみを暖房する既存の暖房システムが設置されていた住宅に、あとから追加工事を行って図３に示すような暖房システムとした場合、既存の第１暖房循環ポンプでは能力が不足するような場合であっても、第２暖房バイパス配管と第３暖房循環ポンプを追加することで、第１暖房循環ポンプを交換することなく第１暖房循環ポンプの能力を補うことができる。
【００５２】
●［第４の実施の形態の暖房システム１Ｄ（図４）］
次に図４を用いて、第４の実施の形態の暖房システム１Ｄについて説明する。図４に示す第４の実施の形態の暖房システム１Ｄは、図１に示す第１の実施の形態の暖房システム１Ａに対して、第３暖房バイパス配管６３と第２流路切替弁２６が追加されている点が異なる。以下、この相違点について主に説明する。
【００５３】
第３暖房バイパス配管６３は、第２暖房放熱後混合配管２５のいずれかの位置と、第１暖房加熱後分岐配管１３のいずれかの位置と、に接続されている。
なお第１開閉弁１２は、第１暖房加熱後分岐配管１３における暖房配管分岐手段４５が接続されている個所から第３暖房バイパス配管６３が接続されている個所までに至るいずれかの位置に設けられている。
第２流路切替弁２６は、第２暖房放熱後混合配管２５と第３暖房バイパス配管６３とが接続されている個所に設けられており、第２暖房放熱後混合配管２５から流入された暖房熱媒を第３暖房バイパス配管６３へ向けて吐出するように、あるいは第２暖房放熱後混合配管２５から流入された暖房熱媒を暖房配管混合手段４６に向けて吐出するように、切り替え可能である。なお、第２流路切替弁２６は、熱源機制御手段３１からの制御信号に基づいて制御される。
【００５４】
図１に示す第１の実施の形態では「（４）第１部屋１０と第２部屋２０を直列に暖房運転。」する場合において、第１部屋を暖房した後で第２部屋を暖房することしかできなかった。しかし、図４に示す第４の実施の形態では、以下に説明するように、第１部屋１０と第２部屋２０を直列に暖房運転する場合において、第１部屋を先に暖房することと、第２部屋を先に暖房することの、いずれも可能となる。
なお、第１の実施の形態の（１）〜（４）の暖房運転は、第４の実施の形態では以下の（１）〜（４−２）の暖房運転となる。
【００５５】
（１）第１部屋１０のみを暖房運転。
熱源機制御手段３１は、第２流路切替弁２６を、第２暖房放熱後混合配管２５から流入された暖房熱媒を暖房配管混合手段４６に向けて吐出する側に制御する。
第１開閉弁１２、第２開閉弁２２、第１流路切替弁１６の制御等は、第１の実施の形態の場合の「（１）第１部屋のみを暖房運転」と同じであるので説明を省略する。
【００５６】
（２）第２部屋２０のみを暖房運転。
熱源機制御手段３１は、第２流路切替弁２６を、第２暖房放熱後混合配管２５から流入された暖房熱媒を暖房配管混合手段４６に向けて吐出する側に制御する。
第１開閉弁１２、第２開閉弁２２、第１流路切替弁１６の制御等は、第１の実施の形態の場合の「（２）第２部屋のみを暖房運転」と同じであるので説明を省略する。
【００５７】
（３）第１部屋１０と第２部屋２０を並列に暖房運転。
熱源機制御手段３１は、第２流路切替弁２６を、第２暖房放熱後混合配管２５から流入された暖房熱媒を暖房配管混合手段４６に向けて吐出する側に制御する。
第１開閉弁１２、第２開閉弁２２、第１流路切替弁１６の制御等は、第１の実施の形態の場合の「（３）第１部屋と第２部屋を並列に暖房運転」と同じであるので説明を省略する。
【００５８】
（４−１）第１部屋１０と第２部屋２０を直列に暖房運転し、第１部屋を先に暖房運転。
例えば第１の実施の形態の「（３）第１部屋１０と第２部屋２０を並列に暖房運転。」を開始してから所定時間が経過後、熱源機制御手段３１は、第１部屋の要求暖房レベルのほうが第２部屋の要求暖房レベルよりも高い場合、第１部屋を先に暖房する直列の暖房運転を行う。熱源機制御手段３１は、第２開閉弁２２を開状態から閉状態へと切り替えて当該状態を維持し、第１流路切替弁１６を、第１暖房放熱後混合配管１５から流入された暖房熱媒を暖房配管混合手段４６に向けて吐出する側から、第１暖房放熱後混合配管１５から流入された暖房熱媒を第１暖房バイパス配管６１に向けて吐出する側へと切り替えて当該状態を維持する。
なお、第１開閉弁１２、第２流路切替弁２６は、それまでの制御状態を維持する。
【００５９】
（４−２）第１部屋１０と第２部屋２０を直列に暖房運転し、第２部屋を先に暖房運転。
例えば第１の実施の形態の「（３）第１部屋１０と第２部屋２０を並列に暖房運転。」を開始してから所定時間が経過後、熱源機制御手段３１は、第２部屋の要求暖房レベルのほうが第１部屋の要求暖房レベルよりも高い場合、第２部屋を先に暖房する直列の暖房運転を行う。熱源機制御手段３１は、第１開閉弁１２を開状態から閉状態へと切り替えて当該状態を維持し、第２流路切替弁２６を、第２暖房放熱後混合配管２５から流入された暖房熱媒を暖房配管混合手段４６に向けて吐出する側から、第２暖房放熱後混合配管２５から流入された暖房熱媒を第３暖房バイパス配管６３に向けて吐出する側へと切り替えて当該状態を維持する。
なお、第２開閉弁２２、第１流路切替弁１６は、それまでの制御状態を維持する。
【００６０】
以上のように、２つの異なる部屋を、それぞれ個別に暖房することや、並列に暖房することや、直列に暖房することが可能となり、利用者の所望する暖房状態に応じて、より快適に、且つより効率良く暖房することが可能であり、熱源機の暖房運転効率をより向上させることができる。
また２つの異なる部屋を直列に暖房する場合、先に暖房するべき部屋を適切に選択することができる。
以上に説明したように、第１部屋（第１暖房放熱体）と第２部屋（第２暖房放熱体）の暖房運転（同時運転）を行う場合、所定時間が経過するまでは、第２並列暖房運転を行い、所定時間を経過後では、第２直列暖房運転または第３直列暖房運転を行う。
そして第２並列暖房運転では、第１開閉弁を開状態に制御し、第２開閉弁を開状態に制御し、第１流路切替弁を第１暖房放熱後混合配管から流入された暖房熱媒を暖房配管混合手段に向けて吐出する側へ制御し、第２流路切替弁を第２暖房放熱後混合配管から流入された暖房熱媒を暖房配管混合手段に向けて吐出する側へ制御する。
また第２直列暖房運転では、第１開閉弁を開状態に制御し、第２開閉弁を閉状態に制御し、第１流路切替弁を第１暖房放熱後混合配管から流入された暖房熱媒を第１暖房バイパス配管に向けて吐出する側へ制御し、第２流路切替弁を第２暖房放熱後混合配管から流入された暖房熱媒を暖房配管混合手段に向けて吐出する側へ制御する。
また第３直列暖房運転では、第１開閉弁を閉状態に制御し、第２開閉弁を開状態に制御し、第１流路切替弁を第１暖房放熱後混合配管から流入された暖房熱媒を暖房配管混合手段に向けて吐出する側へ制御し、第２流路切替弁を第２暖房放熱後混合配管から流入された暖房熱媒を第３暖房バイパス配管に向けて吐出する側へ制御する。
【００６１】
●［第５の実施の形態の暖房システム１Ｅ（図５）］
次に図５を用いて、第５の実施の形態の暖房システム１Ｅについて説明する。図５に示す第５の実施の形態の暖房システム１Ｅは、図１に示す第１の実施の形態の暖房システム１Ａに対して、第１温度検出手段４８Ａが追加されている点が異なる。以下、この相違点について主に説明する。
【００６２】
第１温度検出手段４８Ａは、第１暖房放熱後混合配管１５における第１暖房放熱体１４と第１流路切替弁１６との間のいずれかの位置に設けられており、当該位置における暖房熱媒の温度に応じた検出信号を熱源機制御手段３１に出力する。
熱源機制御手段３１は、第１温度検出手段４８Ａからの検出信号に基づいて、第１温度検出手段４８Ａが設けられている位置の暖房熱媒の温度を認識することができる。
そして熱源機制御手段３１は、第１部屋と第２部屋の双方を暖房運転する場合、例えば、経過時間条件に基づいて並列の暖房運転と直列の暖房運転を切り替える代わりに、検出した暖房熱媒の温度に基づいて、下記の（３）、（４）のように、並列に暖房運転するか、直列に暖房運転するか、を切り替える。
なお、「（１）第１部屋１０のみを暖房運転。」する場合と「（２）第２部屋２０のみを暖房運転。」する場合は、第１の実施の形態と同様であるので、説明を省略する。
【００６３】
（３）第１部屋１０と第２部屋２０を並列に暖房運転。
例えば（第１の）利用者は、第１運転状態設定手段１１を操作して、第１部屋１０の暖房運転の開始と、暖房レベル（強、中、弱や、暖房温度等）を入力指示する。
また（第２の）利用者は、第２運転状態設定手段２１を操作して、第２部屋２０の暖房運転の開始と、暖房レベル（強、中、弱や、暖房温度等）を入力指示する。
上記の入力指示に基づいた第１運転状態設定手段１１からの運転情報は、第１運転状態設定手段１１から熱源機制御手段３１に送信される。
また、上記の入力指示に基づいた第２運転状態設定手段２１からの運転情報は、第２運転状態設定手段２１から熱源機制御手段３１に送信される。
例えば、熱源機制御手段３１は、第１部屋の暖房の開始要求と暖房レベルと、第２部屋の暖房の開始要求と暖房レベルと、を認識し、まず、並列の暖房運転を行う。熱源機制御手段３１は、熱源機３０を起動して暖房熱媒を加熱し、第１暖房循環ポンプ４１を起動して暖房熱媒の循環を開始し、第１開閉弁１２を開状態に制御し、第２開閉弁２２を開状態に制御し、第１流路切替弁１６を、第１暖房放熱後混合配管１５から流入された暖房熱媒を暖房配管混合手段４６に向けて吐出する側に制御する。
そして熱源機制御手段３１は、第１温度検出手段４８Ａからの検出信号に基づいて検出した暖房熱媒の温度と、第２部屋の要求暖房レベルに基づいて、検出した暖房熱媒の温度が、直列に暖房した場合であっても第２部屋を要求暖房レベルまで暖房可能な温度であると判定した場合、並列の暖房運転から直列の暖房運転へと切り替える。
なお、熱源機制御手段３１は、第１温度検出手段４８Ａからの検出信号に基づいて検出した暖房熱媒の温度と、第２部屋の要求暖房レベルに基づいて、検出した暖房熱媒の温度が、直列に暖房した場合には第２部屋を要求暖房レベルまで暖房することが困難な温度であると判定した場合、並列の暖房運転を維持する。
【００６４】
（４）第１部屋１０と第２部屋２０を直列に暖房運転。
例えば上記の「（３）第１部屋１０と第２部屋２０を並列に暖房運転。」にて並列の暖房運転から直列の暖房運転に切り替える場合、熱源機制御手段３１は、第２開閉弁２２を開状態から閉状態へと切り替えて当該状態を維持し、第１流路切替弁１６を、第１暖房放熱後混合配管１５から流入された暖房熱媒を暖房配管混合手段４６に向けて吐出する側から、第１暖房放熱後混合配管１５から流入された暖房熱媒を第１暖房バイパス配管６１に向けて吐出する側へと切り替えて当該状態を維持する。
なお、第１開閉弁１２は、それまでの制御状態を維持する。
【００６５】
以上のように、２つの異なる部屋を、それぞれ個別に暖房することや、並列に暖房することや、直列に暖房することが可能となり、利用者の所望する暖房状態に応じて、より快適に、且つより効率良く暖房することが可能であり、熱源機の暖房運転効率をより向上させることができる。
また、第１部屋と第２部屋の双方を暖房する場合、第１部屋の暖房後の暖房熱媒の温度が、第２部屋の暖房に利用できる温度であるか否かを判定することで、並列の暖房運転を行うべきか、直列の暖房運転を行うべきか、を適切に判定することができる。
このように、第１開閉弁１２と第２開閉弁２２と第１流路切替弁１６は、第１温度検出手段４８Ａにて検出された暖房熱媒の温度に基づいた温度条件に応じて制御される。
【００６６】
●［第６の実施の形態の暖房システム１Ｆ（図６）］
次に図６を用いて、第６の実施の形態の暖房システム１Ｆについて説明する。図６に示す第６の実施の形態の暖房システム１Ｆは、図４に示す第４の実施の形態の暖房システム１Ｄに対して、第１温度検出手段４８Ａ、４８Ａ´が追加されている点が異なる。以下、この相違点について主に説明する。
【００６７】
第１温度検出手段４８Ａは、第１暖房放熱後混合配管１５における第１暖房放熱体１４と第１流路切替弁１６との間のいずれかの位置に設けられており、当該位置における暖房熱媒の温度に応じた検出信号を熱源機制御手段３１に出力する。
熱源機制御手段３１は、第１温度検出手段４８Ａからの検出信号に基づいて、第１温度検出手段４８Ａが設けられている位置の暖房熱媒の温度を認識することができる。
第１温度検出手段４８Ａ´は、第２暖房放熱後混合配管２５における第２暖房放熱体２４と第２流路切替弁２６との間のいずれかの位置に設けられており、当該位置における暖房熱媒の温度に応じた検出信号を熱源機制御手段３１に出力する。
熱源機制御手段３１は、第１温度検出手段４８Ａ´からの検出信号に基づいて、第１温度検出手段４８Ａ´が設けられている位置の暖房熱媒の温度を認識することができる。
なお、第１温度検出手段４８Ａと第１温度検出手段４８Ａ´は、少なくとも一方が設けられていればよい。
そして熱源機制御手段３１は、第１部屋と第２部屋の双方を暖房運転する場合、例えば、経過時間条件に基づいて並列の暖房運転と直列の暖房運転を切り替える代わりに、検出した暖房熱媒の温度に基づいて、下記の（３）、（３−１）、（３−２）、（４−１）、（４−２）のように、並列に暖房運転するか、直列に暖房運転するか、を切り替える。
なお、「（１）第１部屋１０のみを暖房運転。」する場合と「（２）第２部屋２０のみを暖房運転。」する場合は、第１の実施の形態と同様であるので、説明を省略する。
【００６８】
（３）第１部屋１０と第２部屋２０を並列に暖房運転。
この場合、第５の実施の形態と同様の暖房運転を行う。
例えば、熱源機制御手段３１は、第１部屋の暖房の開始要求と暖房レベルと、第２部屋の暖房の開始要求と暖房レベルと、を認識し、まず、並列の暖房運転を行う。熱源機制御手段３１は、熱源機３０を起動して暖房熱媒を加熱し、第１暖房循環ポンプ４１を起動して暖房熱媒の循環を開始し、第１開閉弁１２を開状態に制御し、第２開閉弁２２を開状態に制御し、第１流路切替弁１６を、第１暖房放熱後混合配管１５から流入された暖房熱媒を暖房配管混合手段４６に向けて吐出する側に制御し、第２流路切替弁２６を、第２暖房放熱後混合配管２５から流入された暖房熱媒を暖房配管混合手段４６に向けて吐出する側に制御する。
（３−１）第１部屋の要求暖房レベルのほうが第２部屋の要求暖房レベルよりも高い場合
例えば、並列の暖房運転時において、熱源機制御手段３１は、第１温度検出手段４８Ａからの検出信号に基づいて検出した暖房熱媒の温度と、第２部屋の要求暖房レベルに基づいて、検出した暖房熱媒の温度が、直列に暖房（第１部屋を先に暖房）した場合であっても第２部屋を要求暖房レベルまで暖房可能な温度であると判定した場合、並列の暖房運転から直列の暖房運転（第１部屋を先に暖房）へと切り替える。
なお、熱源機制御手段３１は、第１温度検出手段４８Ａからの検出信号に基づいて検出した暖房熱媒の温度と、第２部屋の要求暖房レベルに基づいて、検出した暖房熱媒の温度が、直列に暖房した場合には第２部屋を要求暖房レベルまで暖房することが困難な温度であると判定した場合、並列の暖房運転を維持する。
（３−２）第２部屋の要求暖房レベルのほうが第１部屋の要求暖房レベルよりも高い場合
例えば、並列の暖房運転時において、熱源機制御手段３１は、第１温度検出手段４８Ａ´からの検出信号に基づいて検出した暖房熱媒の温度と、第１部屋の要求暖房レベルに基づいて、検出した暖房熱媒の温度が、直列に暖房（第２部屋を先に暖房）した場合であっても第１部屋を要求暖房レベルまで暖房可能な温度であると判定した場合、並列の暖房運転から直列の暖房運転（第２部屋を先に暖房）へと切り替える。
なお、熱源機制御手段３１は、第１温度検出手段４８Ａ´からの検出信号に基づいて検出した暖房熱媒の温度と、第１部屋の要求暖房レベルに基づいて、検出した暖房熱媒の温度が、直列に暖房した場合には第１部屋を要求暖房レベルまで暖房することが困難な温度であると判定した場合、並列の暖房運転を維持する。
【００６９】
（４−１）第１部屋１０と第２部屋２０を直列に暖房運転し、第１部屋を先に暖房運転。
例えば上記の（３−１）にて、熱源機制御手段３１が、第１部屋を先に暖房する直列の暖房運転へと切り替える、と判断した場合、熱源機制御手段３１は、第２開閉弁２２を開状態から閉状態へと切り替えて当該状態を維持し、第１流路切替弁１６を、第１暖房放熱後混合配管１５から流入された暖房熱媒を暖房配管混合手段４６に向けて吐出する側から、第１暖房放熱後混合配管１５から流入された暖房熱媒を第１暖房バイパス配管６１に向けて吐出する側へと切り替えて当該状態を維持する。
なお、第１開閉弁１２、第２流路切替弁２６は、それまでの制御状態を維持する。
【００７０】
（４−２）第１部屋１０と第２部屋２０を直列に暖房運転し、第２部屋を先に暖房運転。
例えば上記の（３−２）にて、熱源機制御手段３１が、第２部屋を先に暖房する直列の暖房運転へと切り替える、と判断した場合、熱源機制御手段３１は、第１開閉弁１２を開状態から閉状態へと切り替えて当該状態を維持し、第２流路切替弁２６を、第２暖房放熱後混合配管２５から流入された暖房熱媒を暖房配管混合手段４６に向けて吐出する側から、第２暖房放熱後混合配管２５から流入された暖房熱媒を第３暖房バイパス配管６３に向けて吐出する側へと切り替えて当該状態を維持する。
なお、第２開閉弁２２、第１流路切替弁１６は、それまでの制御状態を維持する。
【００７１】
また、第１温度検出手段４８Ａが設けられていない場合であって第１部屋を先に暖房する直列の暖房運転を行っている場合、第１部屋と第２部屋を暖房後の暖房熱媒の温度（第１温度検出手段４８Ａ´にて検出した暖房熱媒の温度）が、第２部屋の要求暖房レベルに対してあまりにも低い場合、並列の暖房運転へと切り替えるようにしてもよい。
同様に、第１温度検出手段４８Ａ´が設けられていない場合であって第２部屋を先に暖房する直列の暖房運転を行っている場合、第２部屋と第１部屋を暖房後の暖房熱媒の温度（第１温度検出手段４８Ａにて検出した暖房熱媒の温度）が、第１部屋の要求暖房レベルに対してあまりにも低い場合、並列の暖房運転へと切り替えるようにしてもよい。
このように、第１開閉弁１２と第２開閉弁２２と第１流路切替弁１６と第２流路切替弁２６は、第１温度検出手段４８Ａ、４８Ａ´（の少なくとも一方）にて検出された暖房熱媒の温度に基づいた温度条件に応じて制御される。
【００７２】
●［第７の実施の形態の暖房システム１Ｇ（図７）］
次に図７を用いて、第７の実施の形態の暖房システム１Ｇについて説明する。図７に示す第７の実施の形態の暖房システム１Ｇは、図１に示す第１の実施の形態の暖房システム１Ａに対して、第２温度検出手段４８Ｂが追加されている点が異なる。以下、この相違点について主に説明する。
【００７３】
第２温度検出手段４８Ｂは、第２暖房加熱後分岐配管２３における第２開閉弁２２と第２暖房放熱体２４との間のいずれかの位置に設けられており、当該位置における暖房熱媒の温度に応じた検出信号を熱源機制御手段３１に出力する。
熱源機制御手段３１は、第２温度検出手段４８Ｂからの検出信号に基づいて、第２温度検出手段４８Ｂが設けられている位置の暖房熱媒の温度を認識することができる。
そして熱源機制御手段３１は、第１部屋と第２部屋の双方を暖房運転する場合、例えば、経過時間条件と、検出した暖房熱媒の温度に基づいて、下記のように、並列に暖房運転するか、直列に暖房運転するか、を切り替える。
なお、「（１）第１部屋１０のみを暖房運転。」する場合と「（２）第２部屋２０のみを暖房運転。」する場合は、第１の実施の形態と同様であるので、説明を省略する。
【００７４】
例えば、熱源機制御手段３１は、第１部屋の暖房の開始要求と暖房レベルと、第２部屋の暖房の開始要求と暖房レベルと、を認識すると、第５の実施の形態と同様に、まず並列の暖房運転を行う。
そして熱源機制御手段３１は、所定時間が経過後は、第１の実施の形態と同様に、並列の暖房運転から直列の暖房運転へと切り替える。
そして熱源機制御手段３１は、直列の暖房運転を実施中に、第２温度検出手段４８Ｂからの検出信号に基づいて検出した暖房熱媒の温度と、第２部屋の要求暖房レベルに基づいて、検出した暖房熱媒の温度が、直列に暖房した第２部屋を要求暖房レベルまで暖房可能な温度であると判定した場合は、直列の暖房運転を維持する。
なお、熱源機制御手段３１は、直列の暖房運転を実施中に、第２温度検出手段４８Ｂからの検出信号に基づいて検出した暖房熱媒の温度と、第２部屋の要求暖房レベルに基づいて、検出した暖房熱媒の温度が、直列に暖房した第２部屋を要求暖房レベルまで暖房可能な温度に達していないと判定した場合は、直列の暖房運転から並列の暖房運転へと戻す。
そして並列の暖房運転に戻した場合は、所定時間の計測を再開する。なお、並列の暖房運転から直列の暖房運転へ切り替える回数を所定回数に制限するようにしてもよい。
このように、第１開閉弁１２と第２開閉弁２２と第１流路切替弁１６は、第２温度検出手段４８Ｂにて検出された暖房熱媒の温度に基づいた温度条件に応じて制御される。
【００７５】
●［第８の実施の形態の暖房システム１Ｈ（図８）］
次に図８を用いて、第８の実施の形態の暖房システム１Ｈについて説明する。図８に示す第８の実施の形態の暖房システム１Ｈは、図４に示す第４の実施の形態の暖房システム１Ｄに対して、第２温度検出手段４８Ｂ、４８Ｂ´が追加されている点が異なる。以下、この相違点について主に説明する。
【００７６】
第２温度検出手段４８Ｂは、第２暖房加熱後分岐配管２３における第２開閉弁２２と第２暖房放熱体２４との間のいずれかの位置に設けられており、当該位置における暖房熱媒の温度に応じた検出信号を熱源機制御手段３１に出力する。
熱源機制御手段３１は、第２温度検出手段４８Ｂからの検出信号に基づいて、第２温度検出手段４８Ｂが設けられている位置の暖房熱媒の温度を認識することができる。
第２温度検出手段４８Ｂ´は、第１暖房加熱後分岐配管１３における第１開閉弁１２と第１暖房放熱体１４との間のいずれかの位置に設けられており、当該位置における暖房熱媒の温度に応じた検出信号を熱源機制御手段３１に出力する。
熱源機制御手段３１は、第２温度検出手段４８Ｂ´からの検出信号に基づいて、第２温度検出手段４８Ｂ´が設けられている位置の暖房熱媒の温度を認識することができる。
なお、第２温度検出手段４８Ｂと第２温度検出手段４８Ｂ´は、少なくとも一方が設けられていればよい。
そして熱源機制御手段３１は、第１部屋と第２部屋の双方を暖房運転する場合、例えば、経過時間条件と、検出した暖房熱媒の温度に基づいて、下記のように、並列に暖房運転するか、直列に暖房運転するか、を切り替える。
なお、「（１）第１部屋１０のみを暖房運転。」する場合と「（２）第２部屋２０のみを暖房運転。」する場合は、第１の実施の形態と同様であるので、説明を省略する。
【００７７】
（３）第１部屋と第２部屋を並列に暖房運転。
例えば、熱源機制御手段３１は、第１部屋の暖房の開始要求と暖房レベルと、第２部屋の暖房の開始要求と暖房レベルと、を認識すると、第４の実施の形態と同様に、まず並列の暖房運転を行う。
そして熱源機制御手段３１は、所定時間が経過後は、第４の実施の形態と同様に、並列の暖房運転から直列の暖房運転へと切り替える。
なお、第１部屋の要求暖房レベルのほうが第２部屋の要求暖房レベルよりも高い場合は、第１部屋を先に暖房する直列の暖房運転へと切り替え、第２部屋の要求暖房レベルのほうが第１部屋の要求暖房レベルよりも高い場合は、第２部屋を先に暖房する直列の暖房運転へと切り替える。
【００７８】
（３−１）第１部屋の要求暖房レベルのほうが第２部屋の要求暖房レベルよりも高い場合
例えば、熱源機制御手段３１は、第１部屋を先に暖房する直列の暖房運転を実施中に、第２温度検出手段４８Ｂからの検出信号に基づいて検出した暖房熱媒の温度と、第２部屋の要求暖房レベルに基づいて、検出した暖房熱媒の温度が、直列に暖房した第２部屋を要求暖房レベルまで暖房可能な温度であると判定した場合は、第１部屋を先に暖房する直列の暖房運転を維持する。
なお、熱源機制御手段３１は、第１部屋を先に暖房する直列の暖房運転を実施中に、第２温度検出手段４８Ｂからの検出信号に基づいて検出した暖房熱媒の温度と、第２部屋の要求暖房レベルに基づいて、検出した暖房熱媒の温度が、直列に暖房した第２部屋を要求暖房レベルまで暖房可能な温度に達していないと判定した場合は、第１部屋を先に暖房する直列の暖房運転から並列の暖房運転へと戻す。
そして並列の暖房運転に戻した場合は、所定時間の計測を再開する。なお、並列の暖房運転から直列の暖房運転へ切り替える回数を所定回数に制限するようにしてもよい。
【００７９】
（３−２）第２部屋の要求暖房レベルのほうが第１部屋の要求暖房レベルよりも高い場合
例えば、熱源機制御手段３１は、第２部屋を先に暖房する直列の暖房運転を実施中に、第２温度検出手段４８Ｂ´からの検出信号に基づいて検出した暖房熱媒の温度と、第１部屋の要求暖房レベルに基づいて、検出した暖房熱媒の温度が、直列に暖房した第１部屋を要求暖房レベルまで暖房可能な温度であると判定した場合は、第２部屋を先に暖房する直列の暖房運転を維持する。
なお、熱源機制御手段３１は、第２部屋を先に暖房する直列の暖房運転を実施中に、第２温度検出手段４８Ｂ´からの検出信号に基づいて検出した暖房熱媒の温度と、第１部屋の要求暖房レベルに基づいて、検出した暖房熱媒の温度が、直列に暖房した第１部屋を要求暖房レベルまで暖房可能な温度に達していないと判定した場合は、第２部屋を先に暖房する直列の暖房運転から並列の暖房運転へと戻す。
そして並列の暖房運転に戻した場合は、所定時間の計測を再開する。なお、並列の暖房運転から直列の暖房運転へ切り替える回数を所定回数に制限するようにしてもよい。
【００８０】
なお、第１開閉弁１２と第２開閉弁２２と第１流路切替弁１６と第２流路切替弁２６は、第２温度検出手段４８Ｂ、４８Ｂ´の少なくとも一方にて検出された暖房熱媒の温度に基づいた温度条件に応じて制御されるようにすることも可能である。
【００８１】
●［第９の実施の形態の暖房システム１Ｊ（図９）］
次に図９を用いて、第９の実施の形態の暖房システム１Ｊについて説明する。図９に示す第９の実施の形態の暖房システム１Ｊは、図１に示す第１の実施の形態の暖房システム１Ａに対して、第３温度検出手段４８Ｃが追加されている点が異なる。以下、この相違点について主に説明する。
【００８２】
図９に示す例では、第３温度検出手段４８Ｃは、熱源機３０の内部に設けられており、外気温として熱源機３０内の温度に応じた検出信号を熱源機制御手段３１に出力する。
熱源機制御手段３１は、第３温度検出手段４８Ｃからの検出信号に基づいて、外気の温度を認識することができる。
そして熱源機制御手段３１は、第１部屋と第２部屋の双方を暖房運転する場合、例えば、経過時間条件と、検出した外気の温度に基づいて、下記のように、並列に暖房運転するか、直列に暖房運転するか、を切り替える。
なお、「（１）第１部屋１０のみを暖房運転。」する場合と「（２）第２部屋２０のみを暖房運転。」する場合は、第１の実施の形態と同様であるので、説明を省略する。
【００８３】
例えば、熱源機制御手段３１は、第１部屋の暖房の開始要求と暖房レベルと、第２部屋の暖房の開始要求と暖房レベルと、を認識すると、第５の実施の形態と同様に、まず並列の暖房運転を行う。
そして熱源機制御手段３１は、所定時間が経過後は、例えば、第３温度検出手段からの検出信号に基づいて検出した外気の温度が所定温度以上の場合、並列の暖房運転から直列の暖房運転へと切り替え、検出した外気の温度が所定温度未満の場合、並列の暖房運転を維持する。
【００８４】
このように、外気の温度に応じて並列の暖房運転を行うべきか、直列の暖房運転を行うべきか、を適切に判断し、より快適に、且つより効率良く暖房することが可能である。
このように、第１開閉弁１２と第２開閉弁２２と第１流路切替弁１６は、第３温度検出手段４８Ｃにて検出された外気の温度に基づいた温度条件に応じて制御される。
また、第２流路切替弁２６を有する構成の場合も同様に、第１開閉弁１２と第２開閉弁２２と第１流路切替弁１６と第２流路切替弁２６は、第３温度検出手段４８Ｃにて検出された外気の温度に基づいた温度条件に応じて制御される。
【００８５】
●［第１０の実施の形態の暖房システム１Ｋ（図１０）］
次に図１０を用いて、第１０の実施の形態の暖房システム１Ｋについて説明する。図１０に示す第１０の実施の形態の暖房システム１Ｋは、図９に示す第９の実施の形態の暖房システム１Ｊに対して、熱源機３０内に設けた第３温度検出手段４８Ｃの代わりに、熱源機３０の外部に第３温度検出手段４８Ｄが追加されている点が異なる。以下、この相違点について主に説明する。
【００８６】
図１０に示す例では、第３温度検出手段４８Ｄは、熱源機３０の外部に設けられており、外気温として熱源機３０の外部の温度に応じた検出信号を熱源機制御手段３１に出力する。
熱源機制御手段３１は、第３温度検出手段４８Ｄからの検出信号に基づいて、外気の温度を認識することができる。
以下は、図９に示す第９の実施の形態と同様であるので、説明を省略する。
このように、第１開閉弁１２と第２開閉弁２２と第１流路切替弁１６は、第３温度検出手段４８Ｄにて検出された外気の温度に基づいた温度条件に応じて制御される。
また、第２流路切替弁２６を有する構成の場合も同様に、第１開閉弁１２と第２開閉弁２２と第１流路切替弁１６と第２流路切替弁２６は、第３温度検出手段４８Ｄにて検出された外気の温度に基づいた温度条件に応じて制御される。
【００８７】
●［第１１の実施の形態の暖房システム１Ｌ（図１１）］
次に図１１を用いて、第１１の実施の形態の暖房システム１Ｌについて説明する。図１１に示す第１１の実施の形態の暖房システム１Ｌは、図１に示す第１の実施の形態の暖房システム１Ａに対して、流路切替制御手段５０が追加されている点が異なる。以下、この相違点について主に説明する。
【００８８】
流路切替制御手段５０は、第１運転状態設定手段１１と無線または有線（通信線Ｔ１Ａ）にて通信可能に接続され、熱源機制御手段３１と無線または有線（通信線Ｔ１Ｂ）にて通信可能に接続され、第１運転状態設定手段１１と熱源機制御手段３１との間で送受信される通信情報を中継する。
また流路切替制御手段５０は、第２運転状態設定手段２１と無線または有線（通信線Ｔ２Ａ）にて通信可能に接続され、熱源機制御手段３１と無線または有線（通信線Ｔ２Ｂ）にて通信可能に接続され、第２運転状態設定手段２１と熱源機制御手段３１との間で送受信される通信情報を中継する。
また流路切替制御手段５０は、第１流路切替弁の動作を制御する制御信号を出力する。
【００８９】
流路切替制御手段５０は、第１運転状態設定手段１１と熱源機制御手段３１との間で通信情報を中継することで、第１部屋の暖房運転の開始指示や要求暖房レベル、熱源機制御手段３１の制御状態等を認識することができる。また流路切替制御手段５０は、第２運転状態設定手段２１と熱源機制御手段３１との間で通信情報を中継することで、第２部屋の暖房運転の開始指示や要求暖房レベル、熱源機制御手段３１の制御状態等を認識することができる。
これにより、流路切替制御手段５０は、第１部屋のみの暖房運転、第２部屋のみの暖房運転、第１部屋と第２部屋を並列に暖房運転、第１部屋と第２部屋を直列に暖房運転、のいずれの暖房運転とするべきであるか適切に判断し、判断した暖房運転に応じて、第１流路切替弁１６を適切に制御することができる。
【００９０】
●［第１２の実施の形態の暖房システム１Ｍ（図１２）］
次に図１２を用いて、第１２の実施の形態の暖房システム１Ｍについて説明する。図１２に示す第１２の実施の形態の暖房システム１Ｍは、図１１に示す第１１の実施の形態の暖房システム１Ｌに対して、流路切替制御手段５１に、熱源機制御手段３１から第１開閉弁１２と第２開閉弁２２を制御する制御信号が入力され、流路切替制御手段５１から第１開閉弁１２と第２開閉弁２２を制御する制御信号を出力している点が異なる。以下、この相違点について主に説明する。
【００９１】
流路切替制御手段５１は、図１１に示す第１１の実施の形態と同様に、第１運転状態設定手段１１と熱源機制御手段３１との間で送受信される通信情報を中継し、第２運転状態設定手段２１と熱源機制御手段３１との間で送受信される通信情報を中継する。
また、流路切替制御手段５１には、熱源機制御手段３１から第１開閉弁１２を制御していた第１開閉弁制御配線３１Ａと、第２開閉弁２２を制御していた第２開閉弁制御配線３１Ｂと、が入力されている。第１開閉弁制御配線３１Ａは第１開閉弁１２に接続されることなく流路切替制御手段５１に入力され、第２開閉弁制御配線３１Ｂは第２開閉弁２２に接続されることなく流路切替制御手段５１に入力されている。
例えば、流路切替制御手段５１は、熱源機制御手段３１に代わって、第１開閉弁制御配線３１Ａからの制御信号と、第２開閉弁制御配線３１Ｂからの制御信号と、中継した通信情報と、に基づいて、第１開閉弁１２と第２開閉弁２２と第１流路切替弁１６を制御する。
【００９２】
図１２に示す第１２の実施の形態の流路切替制御手段５１は、図１１に示す第１１の実施の形態の流路切替制御手段５０と比較して、第１開閉弁と第２開閉弁の制御が追加されているので、第１部屋のみの暖房運転、第２部屋のみの暖房運転、第１部屋と第２部屋を並列に暖房運転、第１部屋と第２部屋を直列に暖房運転、のいずれの暖房運転を開始する際、または暖房運転を切り替える際、第１開閉弁１２と第２開閉弁２２と第１流路切替弁１６の制御を、時間差等なく、より確実に制御することができる。
【００９３】
●［第１３の実施の形態の暖房システム１Ｎ（図１３）］
次に図１３を用いて、第１３の実施の形態の暖房システム１Ｎについて説明する。図１３に示す第１３の実施の形態の暖房システム１Ｎは、図１１に示す第１１の実施の形態の暖房システム１Ｌに対して、流路切替制御手段５２が、第１運転状態設定手段１１と熱源機制御手段３１との間で送受信される通信情報の中継を行わず、第２運転状態設定手段２１と熱源機制御手段３１との間で送受信される通信情報の中継を行わず、無線または有線（通信線Ｔ３）にて熱源機制御手段３１と通信情報を送受信できる点が異なる。以下、この相違点について主に説明する。
【００９４】
流路切替制御手段５２は、熱源機制御手段３１と無線または有線（通信線Ｔ３）にて接続されており、互いに通信情報を送受信可能であり、熱源機制御手段３１の制御状態を認識することができる。
また、流路切替制御手段５２は、図１１に示す第１１の実施の形態と同様に、第１流路切替弁を制御する制御信号を出力する。
【００９５】
例えば、流路切替制御手段５２は、熱源機制御手段３１からの通信情報に基づいて、熱源機制御手段３１の制御状態を認識し、熱源機制御手段３１が、第１部屋のみの暖房運転、第２部屋のみの暖房運転、第１部屋と第２部屋を並列に暖房運転、第１部屋と第２部屋を直列に暖房運転、のいずれの暖房運転を開始または行っているか、を認識する。そして流路切替制御手段５２は、受信した通信情報に基づいて認識した熱源機制御手段３１の制御状態に応じて、第１流路切替弁１６を制御する。
【００９６】
●［第１４の実施の形態の暖房システム１Ｐ（図１４）］
次に図１４を用いて、第１４の実施の形態の暖房システム１Ｐについて説明する。図１４に示す第１４の実施の形態の暖房システム１Ｐは、図１３に示す第１３の実施の形態の暖房システム１Ｎに対して、流路切替制御手段５３に、熱源機制御手段３１から第１開閉弁１２と第２開閉弁２２を制御する制御信号が入力され、流路切替制御手段５３から第１開閉弁１２と第２開閉弁２２を制御する制御信号を出力している点が異なる。以下、この相違点について主に説明する。
【００９７】
流路切替制御手段５３は、図１３に示す第１３の実施の形態と同様、熱源機制御手段３１と無線または有線（通信線Ｔ３）にて接続されており、互いに通信情報を送受信可能であり、熱源機制御手段３１の制御状態を認識することができる。
また、流路切替制御手段５３には、熱源機制御手段３１から第１開閉弁１２を制御していた第１開閉弁制御配線３１Ａと、第２開閉弁２２を制御していた第２開閉弁制御配線３１Ｂと、が入力されている。第１開閉弁制御配線３１Ａは第１開閉弁１２に接続されることなく流路切替制御手段５３に入力され、第２開閉弁制御配線３１Ｂは第２開閉弁２２に接続されることなく流路切替制御手段５３に入力されている。
例えば、流路切替制御手段５３は、熱源機制御手段３１に代わって、第１開閉弁制御配線３１Ａからの制御信号と、第２開閉弁制御配線３１Ｂからの制御信号と、受信した通信情報と、に基づいて、第１開閉弁１２と第２開閉弁２２と第１流路切替弁１６を制御する。
【００９８】
図１４に示す第１４の実施の形態の流路切替制御手段５３は、図１２に示す第１２の実施の形態の流路切替制御手段５１と同様、第１開閉弁と第２開閉弁の制御が追加されているので、第１部屋のみの暖房運転、第２部屋のみの暖房運転、第１部屋と第２部屋を並列に暖房運転、第１部屋と第２部屋を直列に暖房運転、のいずれの暖房運転を開始する際、または暖房運転を切り替える際、第１開閉弁１２と第２開閉弁２２と第１流路切替弁１６の制御を、時間差等なく、より確実に制御することができる。
【００９９】
●［第１５の実施の形態の暖房システム１Ｑ（図１５）］
次に図１５を用いて、第１５の実施の形態の暖房システム１Ｑについて説明する。
図１５に示す第１５の実施の形態の暖房システム１Ｑは、図６に示す第６の実施の形態の暖房システム１Ｆに、図２に示す第２の実施の形態の第２暖房循環ポンプ４２を追加し、図１２に示す第１２の実施の形態の流路切替制御手段５１に第１温度検出手段４８Ａ、４８Ａ´の検出信号の入力と第２流路切替弁の出力と第２暖房循環ポンプ４２の出力を加えた流路切替制御手段５１Ａを追加した暖房システムである。
このように、各実施の形態をいくつか組み合わせた暖房システムを構築することも可能であり、組み合わせに使用した暖房システムの特徴を有している。
【０１００】
例えば図１５に示す暖房システム１Ｑでは、流路切替制御手段５１Ａは、熱源機制御手段３１と第１運転状態設定手段１１との通信と、熱源機制御手段３１と第２運転状態設定手段２１との通信と、を中継しており、第１運転状態設定手段１１からの第１部屋の暖房指示や要求暖房レベル、第２運転状態設定手段２１からの第２部屋の暖房指示や要求暖房レベル、熱源機制御手段３１からの熱源機制御手段の制御状態等を認識することが可能である。
そして流路切替制御手段５１Ａは、中継した通信情報に基づいて認識した情報と、第１温度検出手段４８Ａを用いて検出した暖房熱媒の温度と、第１温度検出手段４８Ａ´を用いて検出した暖房熱媒の温度等に基づいて、第１部屋のみの暖房運転、第２部屋のみを暖房運転、第１部屋と第２部屋の並列の暖房運転、第１部屋を先に暖房する第１部屋と第２部屋の直列の暖房運転、第２部屋を先に暖房する第２部屋と第１部屋の直列の暖房運転、のいずれの暖房運転を行うべきかを判断する。
例えば、流路切替制御手段５１Ａは、第１開閉弁制御配線３１Ａからの制御信号と、第２開閉弁制御配線３１Ｂからの制御信号と、中継した通信情報と、に基づいて、第１開閉弁１２と第２開閉弁２２と第１流路切替弁１６と第２流路切替弁２６と第２暖房循環ポンプ４２を制御する。
【０１０１】
●［第１６の実施の形態の暖房システム１Ｒ（図１６）］
次に図１６を用いて、第１６の実施の形態の暖房システム１Ｒについて説明する。
図１６に示す第１６の実施の形態の暖房システム１Ｒは、図１５に示す第１５の実施の形態の暖房システム１Ｑに対して、流路切替制御手段５３Ａが、熱源機制御手段３１と第１運転状態設定手段１１との通信の中継を行わず、熱源機制御手段３１と第２運転状態設定手段２１との通信の中継を行わず、熱源機制御手段３１と無線または有線（通信線Ｔ３）にて通信情報を送受信可能である点が異なり、図１４に示す第１４の実施の形態の流路切替制御手段５３に第１温度検出手段４８Ａ、４８Ａ´の検出信号の入力と第２流路切替弁の出力と第２暖房循環ポンプ４２の出力を加えた流路切替制御手段５３Ａである点が異なる。
このように、各実施の形態をいくつか組み合わせた暖房システムを構築することも可能であり、組み合わせに使用した暖房システムの特徴を有している。
【０１０２】
例えば図１６に示す暖房システム１Ｒでは、流路切替制御手段５３Ａは、熱源機制御手段３１からの通信情報に基づいて、熱源機制御手段の制御状態等を認識することが可能である。
そして流路切替制御手段５３Ａは、受信した通信情報に基づいて認識した情報と、第１温度検出手段４８Ａを用いて検出した暖房熱媒の温度と、第１温度検出手段４８Ａ´を用いて検出した暖房熱媒の温度等に基づいて、第１部屋のみの暖房運転、第２部屋のみを暖房運転、第１部屋と第２部屋の並列の暖房運転、第１部屋を先に暖房する第１部屋と第２部屋の直列の暖房運転、第２部屋を先に暖房する第２部屋と第１部屋の直列の暖房運転、のいずれの暖房運転を行うべきかを判断する。
例えば、流路切替制御手段５３Ａは、第１開閉弁制御配線３１Ａからの制御信号と、第２開閉弁制御配線３１Ｂからの制御信号と、受信した通信情報と、に基づいて、第１開閉弁１２と第２開閉弁２２と第１流路切替弁１６と第２流路切替弁２６と第２暖房循環ポンプ４２を制御する。
【０１０３】
本発明の暖房システムは、本実施の形態で説明した構成、動作等に限定されず、本発明の要旨を変更しない範囲で種々の変更、追加、削除が可能である。
また第１の実施の形態〜第１４の実施の形態の、いくつかを組み合わせた例として、第１５の実施の形態と第１６の実施の形態を示したが、複数の実施の形態を組み合わせた暖房システムは、第１５の実施の形態と第１６の実施の形態に限定されるものではなく、任意の実施の形態を組み合わせた暖房システムを構築することも可能である。
【符号の説明】
【０１０４】
１Ａ〜１Ｈ、１Ｊ〜１Ｎ、１Ｐ〜１Ｒ    暖房システム
１０    第１部屋
１１    第１運転状態設定手段
１２    第１開閉弁
１３    第１暖房加熱後分岐配管
１４    第１暖房放熱体
１５    第１暖房放熱後混合配管
１６    第１流路切替弁
２０    第２部屋
２１    第２運転状態設定手段
２２    第２開閉弁
２３    第２暖房加熱後分岐配管
２４    第２暖房放熱体
２５    第２暖房放熱後混合配管
２６    第２流路切替弁
３０    熱源機
３１    熱源機制御手段
３１Ａ  第１開閉弁制御配線
３１Ｂ  第２開閉弁制御配線
４１    第１暖房循環ポンプ
４２    第２暖房循環ポンプ
４３    第３暖房循環ポンプ
４５    暖房配管分岐手段
４６    暖房配管混合手段
４８Ａ、４８Ａ´  第１温度検出手段
４８Ｂ、４８Ｂ´  第２温度検出手段
４８Ｃ、４８Ｄ    第３温度検出手段
５０〜５３、５１Ａ、５３Ａ    流路切替制御手段
６１    第１暖房バイパス配管
６２    第２暖房バイパス配管
６３    第３暖房バイパス配管
Ｔ１〜Ｔ３、Ｔ１Ａ、Ｔ１Ｂ、Ｔ２Ａ、Ｔ２Ｂ    通信線
【図１】
2015075318.tif 000003
【図２】
2015075318.tif 000004
【図３】
2015075318.tif 000005
【図４】
2015075318.tif 000006
【図５】
2015075318.tif 000007
【図６】
2015075318.tif 000008
【図７】
2015075318.tif 000009
【図８】
2015075318.tif 000010
【図９】
2015075318.tif 000011
【図１０】
2015075318.tif 000012
【図１１】
2015075318.tif 000013
【図１２】
2015075318.tif 000014
【図１３】
2015075318.tif 000015
【図１４】
2015075318.tif 000016
【図１５】
2015075318.tif 000017
【図１６】
2015075318.tif 000018
【図１７】
2015075318.tif 000019
【図１８】
2015075318.tif 000020